(57)【要約】  本願の実施例は無線通信方法及び装置を提供し、ＳＳ  Ｂｌｏｃｋの伝送の方面で通信特性を向上させることができる。該方法は、ネットワーク装置がＮ個の第一符号において、第一帯域幅を占用し、端末装置に同期信号ブロックに含まれる第一チャネル又は信号を送信することであって、Ｎが１以上の整数であることと、ネットワーク装置がＭ個の第二符号において、第二帯域幅を占用し、及びＮ個の第一符号のうちのＳ個の第一符号において、第三帯域幅を占用し、端末装置に同期信号ブロックに含まれる第二チャネル又は信号を送信することであって、第一帯域幅と第三帯域幅の周波数領域リソース位置が互いに重ならず、ＭとＳが１以上の整数であることと、を含む。
2021502725.tif 000002
【特許請求の範囲】
【請求項１】
無線通信方法であって、
ネットワーク装置が、Ｎ個の第一符号において、第一帯域幅を占用し、端末装置に同期信号ブロックに含まれる第一チャネル又は信号を送信することであって、前記Ｎが１以上の整数であることと、
前記ネットワーク装置が、Ｍ個の第二符号において、第二帯域幅を占用し、及び前記Ｎ個の第一符号のうちのＳ個の第一符号において、第三帯域幅を占用し、前記端末装置に前記同期信号ブロックに含まれる第二チャネル又は信号を送信することであって、前記第一帯域幅と前記第三帯域幅の周波数領域リソース位置が互いに重ならず、前記Ｍと前記Ｓが１以上の整数である、ことと、を含むことを特徴とする、前記無線通信方法。
【請求項２】
前記第一チャネル又は信号がプライマリ同期信号（ＰＳＳ）及び／又はセカンダリ同期信号（ＳＳＳ）を含むことを特徴とする
請求項１に記載の方法。
【請求項３】
前記第一チャネル又は信号がＰＳＳ及びＳＳＳを含み、前記ＰＳＳ及び前記ＳＳＳは占用する前記第一符号が異なることを特徴とする
請求項２に記載の方法。
【請求項４】
前記第二チャネル又は信号が物理ブロードキャストチャネル（ＰＢＣＨ）を含むことを特徴とする
請求項１〜３のいずれか一項に記載の方法。
【請求項５】
前記第一帯域幅と前記第三帯域幅の帯域幅の和が前記第二帯域幅以下であることを特徴とする
請求項１〜４のいずれか一項に記載の方法。
【請求項６】
前記第一帯域幅が占用する周波数領域リソース位置及び前記第三帯域幅が占用する周波数領域リソース位置は、それぞれ前記第二帯域幅が占用する周波数領域リソース位置のサブセットであることを特徴とする
請求項１〜５のいずれか一項に記載の方法。
【請求項７】
前記第一帯域幅の中心周波数ポイントが前記第二帯域幅の中心周波数ポイントに等しいことを特徴とする
請求項１〜６のいずれか一項に記載の方法。
【請求項８】
前記第三帯域幅の周波数領域リソース位置が前記第一帯域幅の周波数領域リソース位置の両側に位置することを特徴とする
請求項１〜７のいずれか一項に記載の方法。
【請求項９】
前記第一帯域幅の周波数領域リソース位置が前記第二帯域幅の低周波数範囲内に位置し、及び
前記第三帯域幅の周波数領域リソース位置が前記第二帯域幅の高周波数範囲内に位置することを特徴とする
請求項１〜６のいずれか一項に記載の方法。
【請求項１０】
前記第一帯域幅の周波数領域リソース位置が前記第二帯域幅の高周波数範囲内に位置し、及び
前記第三帯域幅の周波数領域リソース位置が前記第二帯域幅の低周波数範囲内に位置することを特徴とする
請求項１〜６のいずれか一項に記載の方法。
【請求項１１】
前記第一帯域幅、前記第二帯域幅及び／又は前記第三帯域幅は、それぞれ整数個の物理リソースブロック（ＰＲＢ）が占用する帯域幅に等しいことを特徴とする
請求項１〜１０のいずれか一項に記載の方法。
【請求項１２】
前記第二帯域幅は２４個のＰＲＢが占用する帯域幅より小さいことを特徴とする
請求項１〜１１のいずれか一項に記載の方法。
【請求項１３】
前記第二帯域幅は１８個のＰＲＢが占用する帯域幅に等しいことを特徴とする
請求項１〜１２のいずれか一項に記載の方法。
【請求項１４】
前記第一帯域幅は１２個のＰＲＢが占用する帯域幅に等しいことを特徴とする
請求項１〜１３のいずれか一項に記載の方法。
【請求項１５】
前記Ｓが前記Ｎに等しいことを特徴とする
請求項１〜１４のいずれか一項に記載の方法。
【請求項１６】
前記Ｎが２に等しく、前記Ｍが２に等しく、
前記Ｎ個の第一符号及び前記Ｍ個の第二符号の時間領域における前後順位による順番は、前記第一符号、前記第二符号、前記第一符号及び前記第二符号であることを特徴とする
請求項１〜１５のいずれか一項に記載の方法。
【請求項１７】
前記ネットワーク装置がＭ個の第二符号において、第二帯域幅を占用し、及び前記Ｎ個の第一符号のうちのＳ個の第一符号において、第三帯域幅を占用し、前記端末装置に前記同期信号ブロックに含まれる第二チャネル又は信号を送信することは、
前記ネットワーク装置は、先周波数領域後時間領域という方式に基づき、前記Ｎ個の第一符号及び前記Ｍ個の第二符号の中の一番目の符号から始め、前記Ｎ個の第一符号及び前記Ｍ個の第二符号の時間領域における前後順位に基づき、低周波数領域リソースを先にして高周波数領域リソースを後にするように前記第二チャネル又は信号のマッピングを行うことであって、前記第一符号にマッピングされる帯域幅が前記第三帯域幅であり、前記第二符号にマッピングされる帯域幅が前記第二帯域幅である、ことと、
前記ネットワーク装置がマッピング後の前記第二チャネル又は信号を前記端末装置に送信することと、を含むことを特徴とする
請求項１〜１６のいずれか一項に記載の方法。
【請求項１８】
無線通信方法であって、
端末装置は、Ｍ個の第二符号において、第二帯域幅から、及びＮ個の第一符号のうちのＳ個の第一符号において、第三帯域幅から、前記ネットワーク装置が送信した同期信号ブロックに含まれる第二チャネル又は信号を取得すること、を含み、
前記Ｎ個の第一符号において、第一帯域幅で、前記ネットワーク装置が前記同期信号ブロックに含まれる第一チャネル又は信号を送信し、
前記第三帯域幅と前記第一帯域幅の周波数領域リソース位置が互いに重ならず、前記Ｍ、前記Ｎ及び前記Ｓが１以上の整数であることを特徴とする、前記無線通信方法。
【請求項１９】
前記第一チャネル又は信号がプライマリ同期信号（ＰＳＳ）及び／又はセカンダリ同期信号（ＳＳＳ）を含むことを特徴とする
請求項１８に記載の方法。
【請求項２０】
前記第一チャネル又は信号がＰＳＳ及びＳＳＳを含み、前記ＰＳＳ及び前記ＳＳＳは占用する前記第一符号が異なることを特徴とする
請求項１９に記載の方法。
【請求項２１】
前記第二チャネル又は信号が物理ブロードキャストチャネル（ＰＢＣＨ）を含むことを特徴とする
請求項１８〜２０のいずれか一項に記載の方法。
【請求項２２】
前記第一帯域幅と前記第三帯域幅の帯域幅の和が前記第二帯域幅以下であることを特徴とする
請求項１８〜２１のいずれか一項に記載の方法。
【請求項２３】
前記第一帯域幅が占用する周波数領域リソース位置及び前記第三帯域幅が占用する周波数領域リソース位置は、それぞれ前記第二帯域幅が占用する周波数領域リソース位置のサブセットであることを特徴とする
請求項１８〜２２のいずれか一項に記載の方法。
【請求項２４】
前記第一帯域幅の中心周波数ポイントが前記第二帯域幅の中心周波数ポイントに等しいことを特徴とする
請求項１８〜２３のいずれか一項に記載の方法。
【請求項２５】
前記第三帯域幅の周波数領域リソース位置が前記第一帯域幅の周波数領域リソース位置の両側に位置することを特徴とする
請求項１８〜２４のいずれか一項に記載の方法。
【請求項２６】
前記第一帯域幅の周波数領域リソース位置が前記第二帯域幅の低周波数範囲内に位置し、及び
前記第三帯域幅の周波数領域リソース位置が前記第二帯域幅の高周波数範囲内に位置することを特徴とする
請求項１８〜２３のいずれか一項に記載の方法。
【請求項２７】
前記第一帯域幅の周波数領域リソース位置が前記第二帯域幅の高周波数範囲内に位置し、及び
前記第三帯域幅の周波数領域リソース位置が前記第二帯域幅の低周波数範囲内に位置することを特徴とする
請求項１８〜２３のいずれか一項に記載の方法。
【請求項２８】
前記第一帯域幅、前記第二帯域幅及び／又は前記第三帯域幅は、それぞれ整数個の物理リソースブロック（ＰＲＢ）が占用する帯域幅に等しいことを特徴とする
請求項１８〜２７のいずれか一項に記載の方法。
【請求項２９】
前記第二帯域幅は２４個のＰＲＢが占用する帯域幅より小さいことを特徴とする
請求項１８〜２８のいずれか一項に記載の方法。
【請求項３０】
前記第二帯域幅は１８個の物理リソースブロック（ＰＲＢ）が占用する帯域幅に等しいことを特徴とする
請求項１８〜２９のいずれか一項に記載の方法。
【請求項３１】
前記第一帯域幅は１２個のＰＲＢが占用する帯域幅に等しいことを特徴とする
請求項１８〜３０のいずれか一項に記載の方法。
【請求項３２】
前記Ｓが前記Ｎに等しいことを特徴とする
請求項１８〜３１のいずれか一項に記載の方法。
【請求項３３】
前記Ｎが２に等しく、前記Ｍが２に等しく、
前記Ｎ個の第一符号及び前記Ｍ個の第二符号の時間領域における前後順位による順番は、前記第一符号、前記第二符号、前記第一符号及び前記第二符号であることを特徴とする
請求項１８〜３２のいずれか一項に記載の方法。
【請求項３４】
前記端末装置が、Ｍ個の第二符号において、第二帯域幅から、及びＮ個の第一符号のうちのＳ個の第一符号において、第三帯域幅から、前記ネットワーク装置が送信した前記同期信号ブロックに含まれる第二チャネル又は信号を取得することは、
前記端末装置が、先周波数領域後時間領域という方式に基づき、前記Ｎ個の第一符号及び前記Ｍ個の第二符号の中の一番目の符号から始め、前記Ｎ個の第一符号及び前記Ｍ個の第二符号の時間領域における前後順位に基づき、低周波数領域リソースを先にして高周波数領域リソースを後にするように前記第二チャネル又は信号のデマッピングを行い、前記第一符号においてデマッピングされる帯域幅が前記第三帯域幅であり、前記第二符号においてデマッピングされる帯域幅が前記第二帯域幅であること、を含むことを特徴とする
請求項１８〜３３のいずれか一項に記載の方法。
【請求項３５】
ネットワーク装置であって、
Ｎ個の第一符号において、第一帯域幅を占用し、端末装置に同期信号ブロックに含まれる第一チャネル又は信号を送信するように構成される第一伝送ユニットであって、前記Ｎが１以上の整数である、第一伝送ユニットと、
Ｍ個の第二符号において、第二帯域幅を占用し、及び前記Ｎ個の第一符号のうちのＳ個の第一符号において、第三帯域幅を占用し、前記端末装置に前記同期信号ブロックに含まれる第二チャネル又は信号を送信するように構成される第二伝送ユニットであって、前記第一帯域幅と前記第三帯域幅の周波数領域リソース位置が互いに重ならず、前記Ｍと前記Ｓが１以上の整数である、第二伝送ユニットと、を含むことを特徴とする、前記ネットワーク装置。
【請求項３６】
前記第一チャネル又は信号がプライマリ同期信号（ＰＳＳ）及び／又はセカンダリ同期信号（ＳＳＳ）を含むことを特徴とする
請求項３５に記載のネットワーク装置。
【請求項３７】
前記第一チャネル又は信号がＰＳＳ及びＳＳＳを含み、前記ＰＳＳ及び前記ＳＳＳは占用する前記第一符号が異なることを特徴とする
請求項３６に記載のネットワーク装置。
【請求項３８】
前記第二チャネル又は信号が物理ブロードキャストチャネル（ＰＢＣＨ）を含むことを特徴とする
請求項３５〜３７のいずれか一項に記載のネットワーク装置。
【請求項３９】
前記第一帯域幅と前記第三帯域幅の帯域幅の和が前記第二帯域幅以下であることを特徴とする
請求項３５〜３８のいずれか一項に記載のネットワーク装置。
【請求項４０】
前記第一帯域幅が占用する周波数領域リソース位置及び前記第三帯域幅が占用する周波数領域リソース位置は、それぞれ前記第二帯域幅が占用する周波数領域リソース位置のサブセットであることを特徴とする
請求項３５〜３９のいずれか一項に記載のネットワーク装置。
【請求項４１】
前記第一帯域幅の中心周波数ポイントが前記第二帯域幅の中心周波数ポイントに等しいことを特徴とする
請求項３５〜４０のいずれか一項に記載のネットワーク装置。
【請求項４２】
前記第三帯域幅の周波数領域リソース位置が前記第一帯域幅の周波数領域リソース位置の両側に位置することを特徴とする
請求項３５〜４１のいずれか一項に記載のネットワーク装置。
【請求項４３】
前記第一帯域幅の周波数領域リソース位置が前記第二帯域幅の低周波数範囲内に位置し、及び
前記第三帯域幅の周波数領域リソース位置が前記第二帯域幅の高周波数範囲内に位置することを特徴とする
請求項３５〜４０のいずれか一項に記載のネットワーク装置。
【請求項４４】
前記第一帯域幅の周波数領域リソース位置が前記第二帯域幅の高周波数範囲内に位置し、及び
前記第三帯域幅の周波数領域リソース位置が前記第二帯域幅の低周波数範囲内に位置することを特徴とする
請求項３５〜４０のいずれか一項に記載のネットワーク装置。
【請求項４５】
前記第一帯域幅、前記第二帯域幅及び／又は前記第三帯域幅は、それぞれ整数個の物理リソースブロック（ＰＲＢ）が占用する帯域幅に等しいことを特徴とする
請求項３５〜４４のいずれか一項に記載のネットワーク装置。
【請求項４６】
前記第二帯域幅は２４個のＰＲＢが占用する帯域幅より小さいことを特徴とする
請求項３５〜４５のいずれか一項に記載のネットワーク装置。
【請求項４７】
前記第二帯域幅は１８個のＰＲＢが占用する帯域幅に等しいことを特徴とする
請求項３５〜４６のいずれか一項に記載のネットワーク装置。
【請求項４８】
前記第一帯域幅は１２個のＰＲＢが占用する帯域幅に等しいことを特徴とする
請求項３５〜４７のいずれか一項に記載のネットワーク装置。
【請求項４９】
前記Ｓが前記Ｎに等しいことを特徴とする
請求項３５〜４８のいずれか一項に記載のネットワーク装置。
【請求項５０】
前記Ｎが２に等しく、前記Ｍが２に等しく、
前記Ｎ個の第一符号及び前記Ｍ個の第二符号の時間領域における前後順位による順番は、前記第一符号、前記第二符号、前記第一符号及び前記第二符号であることを特徴とする
請求項３５〜４９のいずれか一項に記載のネットワーク装置。
【請求項５１】
前記第二伝送ユニットは、さらに
先周波数領域後時間領域という方式に基づき、前記Ｎ個の第一符号及び前記Ｍ個の第二符号の中の一番目の符号から始め、前記Ｎ個の第一符号及び前記Ｍ個の第二符号の時間領域における前後順位に基づき、低周波数領域リソースを先にして高周波数領域リソースを後にするように前記第二チャネル又は信号のマッピングを行い、前記第一符号にマッピングされる帯域幅が前記第三帯域幅であり、前記第二符号にマッピングされる帯域幅が前記第二帯域幅であり、
マッピング後の前記第二チャネル又は信号を前記端末装置に送信するように構成されることを特徴とする
請求項３５〜５０のいずれか一項に記載のネットワーク装置。
【請求項５２】
端末装置であって、取得ユニットを含み、
前記取得ユニットは、Ｍ個の第二符号において、第二帯域幅から、及び前記Ｎ個の第一符号のうちのＳ個の第一符号において、第三帯域幅から、前記ネットワーク装置が送信した同期信号ブロックに含まれる第二チャネル又は信号を取得するように構成され、
前記Ｎ個の第一符号において、第一帯域幅で、前記ネットワーク装置が前記同期信号ブロックに含まれる第一チャネル又は信号を送信し、
前記第三帯域幅と前記第一帯域幅の周波数領域リソース位置が互いに重ならず、前記Ｍ、前記Ｎ及び前記Ｓが１以上の整数であることを特徴とする、前記端末装置。
【請求項５３】
前記第一チャネル又は信号がプライマリ同期信号（ＰＳＳ）及び／又はセカンダリ同期信号（ＳＳＳ）を含むことを特徴とする
請求項５２に記載の端末装置。
【請求項５４】
前記第一チャネル又は信号がＰＳＳ及びＳＳＳを含み、前記ＰＳＳ及び前記ＳＳＳは占用する前記第一符号が異なることを特徴とする
請求項５３に記載の端末装置。
【請求項５５】
前記第二チャネル又は信号が物理ブロードキャストチャネル（ＰＢＣＨ）を含むことを特徴とする
請求項５２〜５４のいずれか一項に記載の端末装置。
【請求項５６】
前記第一帯域幅と前記第三帯域幅の帯域幅の和が前記第二帯域幅以下であることを特徴とする
請求項５２〜５５のいずれか一項に記載の端末装置。
【請求項５７】
前記第一帯域幅が占用する周波数領域リソース位置及び前記第三帯域幅が占用する周波数領域リソース位置は、それぞれ前記第二帯域幅が占用する周波数領域リソース位置のサブセットであることを特徴とする
請求項５２〜５６のいずれか一項に記載の端末装置。
【請求項５８】
前記第一帯域幅の中心周波数ポイントが前記第二帯域幅の中心周波数ポイントに等しいことを特徴とする
請求項５２〜５７のいずれか一項に記載の端末装置。
【請求項５９】
前記第三帯域幅の周波数領域リソース位置が前記第一帯域幅の周波数領域リソース位置の両側に位置することを特徴とする
請求項５２〜５８のいずれか一項に記載の端末装置。
【請求項６０】
前記第一帯域幅の周波数領域リソース位置が前記第二帯域幅の低周波数範囲内に位置し、及び
前記第三帯域幅の周波数領域リソース位置が前記第二帯域幅の高周波数範囲内に位置することを特徴とする
請求項５２〜５７のいずれか一項に記載の端末装置。
【請求項６１】
前記第一帯域幅の周波数領域リソース位置が前記第二帯域幅の高周波数範囲内に位置し、及び
前記第三帯域幅の周波数領域リソース位置が前記第二帯域幅の低周波数範囲内に位置することを特徴とする
請求項５２〜５７のいずれか一項に記載の端末装置。
【請求項６２】
前記第一帯域幅、前記第二帯域幅及び／又は前記第三帯域幅は、それぞれ整数個の物理リソースブロック（ＰＲＢ）が占用する帯域幅に等しいことを特徴とする
請求項５２〜６１のいずれか一項に記載の端末装置。
【請求項６３】
前記第二帯域幅は２４個のＰＲＢが占用する帯域幅より小さいことを特徴とする
請求項５２〜６２のいずれか一項に記載の端末装置。
【請求項６４】
前記第二帯域幅は１８個の物理リソースブロック（ＰＲＢ）が占用する帯域幅に等しいことを特徴とする
請求項５２〜６３のいずれか一項に記載の端末装置。
【請求項６５】
前記第一帯域幅は１２個のＰＲＢが占用する帯域幅に等しいことを特徴とする
請求項５２〜６４のいずれか一項に記載の端末装置。
【請求項６６】
前記Ｓが前記Ｎに等しいことを特徴とする
請求項５２〜６５のいずれか一項に記載の端末装置。
【請求項６７】
前記Ｎが２に等しく、前記Ｍが２に等しく、
前記Ｎ個の第一符号及び前記Ｍ個の第二符号の時間領域における前後順位による順番は、前記第一符号、前記第二符号、前記第一符号及び前記第二符号であることを特徴とする
請求項５２〜６６のいずれか一項に記載の端末装置。
【請求項６８】
前記取得ユニットは、さらに
先周波数領域後時間領域という方式に基づき、前記Ｎ個の第一符号及び前記Ｍ個の第二符号の中の一番目の符号から始め、前記Ｎ個の第一符号及び前記Ｍ個の第二符号の時間領域における前後順位に基づき、低周波数領域リソースを先にして高周波数領域リソースを後にするように前記第二チャネル又は信号のデマッピングを行うように構成され、前記第一符号においてデマッピングされる帯域幅が前記第三帯域幅であり、前記第二符号においてデマッピングされる帯域幅が前記第二帯域幅であることを特徴とする
請求項５２〜６７のいずれか一項に記載の端末装置。
【発明の詳細な説明】
【技術分野】
【０００１】
本願は通信分野に関し、且つより具体的に、無線通信方法、ネットワーク装置及び端末装置に関する。
【背景技術】
【０００２】
現在、ロングタームエボリューション（Ｌｏｎｇ  Ｔｅｒｍ  Ｅｖｏｌｕｔｉｏｎ、ＬＴＥ）システムにおいて、同期を行う信号はプライマリ同期信号（Ｐｒｉｍａｒｙ  Ｓｙｎｃｈｒｏｎｉｚａｔｉｏｎ  Ｓｉｇｎａｌ、ＰＳＳ）、セカンダリ同期信号（Ｓｅｃｏｎｄａｒｙ  Ｓｙｎｃｈｒｏｎｉｚａｔｉｏｎ  Ｓｉｇｎａｌ、ＳＳＳ）であり、端末装置が無線リソース管理（Ｒａｄｉｏ  Ｒｅｓｏｕｒｃｅ  Ｍａｎａｇｅｍｅｎｔ、ＲＲＭ）測定を行う基準信号はセル基準信号（Ｃｅｌｌ  Ｒｅｆｅｒｅｎｃｅ  Ｓｉｇｎａｌ、ＣＲＳ）又はチャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）である。
【０００３】
新しい無線（Ｎｅｗ  Ｒａｄｉｏ、ＮＲ）システムにおいて、ネットワーク装置は端末装置に複数の同期信号ブロック（Ｓｙｎｃｈｒｏｎｉｚａｔｉｏｎ  Ｓｉｇｎａｌ  Ｂｌｏｃｋ、ＳＳ  ｂｌｏｃｋ）を送信でき、端末装置がシステム帯域幅内においてＳＳ  ｂｌｏｃｋをサーチしてセル識別子（Ｉｄｅｎｔｉｆｉｅｒ、ＩＤ）を取得して時間周波数同期を行い、物理ブロードキャストチャネル（Ｐｈｙｓｉｃａｌ  Ｂｒｏａｄｃａｓｔｉｎｇ  Ｃｈａｎｎｅｌ、ＰＢＣＨ）情報を取得し、且つ、ＳＳＳ及びＰＢＣＨの復調基準信号（Ｄｅｍｏｄｕｌａｔｉｏｎ  Ｒｅｆｅｒｅｎｃｅ  Ｓｉｇｎａｌ、ＤＭＲＳ）に基づいてＲＲＭ測定を行うことができる。
【０００４】
新しい無線システムにおいて、通信特性に対する要件が高く、従って、どのようにＳＳ  Ｂｌｏｃｋの伝送の方面で通信特性を向上させるかは早急な解決の待たれる問題になる。
【発明の概要】
【発明が解決しようとする課題】
【０００５】
本願の実施例は無線通信方法及び装置を提供し、ＳＳ  Ｂｌｏｃｋの伝送の方面で通信特性を向上させることができる。
【課題を解決するための手段】
【０００６】
第一方面に係わる無線通信方法であって、
ネットワーク装置がＮ個の第一符号において、第一帯域幅を占用し、端末装置に同期信号ブロックに含まれる第一チャネル又は信号を送信し、Ｎが１以上の整数であることと、
ネットワーク装置がＭ個の第二符号において、第二帯域幅を占用し、及びＮ個の第一符号のうちのＳ個の第一符号において、第三帯域幅を占用し、端末装置に同期信号ブロックに含まれる第二チャネル又は信号を送信し、第一帯域幅と第三帯域幅の周波数領域リソース位置が互いに重ならず、ＭとＳが１以上の整数であることと、を含む。
【０００７】
従って、本願の実施例では、第一チャネル又は信号を伝送する符号において第二チャネル又は信号を伝送でき、同期信号ブロックが占用する帯域幅を総体的に低減させることができ、それにより、初期サーチの回数を減少させながら、第二チャネル又は信号の伝送リソースを大幅に減少させる必要がなく、従って、同期信号ブロックの帯域幅を低減させるため第二チャネル又は信号伝送特性にもたらす影響を減少させ又は避け、それにより通信特性を向上させることができる。
【０００８】
第一方面を参照し、第一方面の可能な実現方式では、第一チャネル又は信号がプライマリ同期信号（ＰＳＳ）及び／又はセカンダリ同期信号（ＳＳＳ）を含む。
【０００９】
第一方面又は上記のいずれか可能な実現方式を参照し、第一方面の別の可能な実現方式では、第一チャネル又は信号はＰＳＳ及びＳＳＳを含み、ＰＳＳ及びＳＳＳが占用する第一符号は異なる。
【００１０】
第一方面又は上記のいずれか可能な実現方式を参照し、第一方面の別の可能な実現方式では、第二チャネル又は信号が物理ブロードキャストチャネル（ＰＢＣＨ）を含む。
【００１１】
第一方面又は上記のいずれか可能な実現方式を参照し、第一方面の別の可能な実現方式では、第一帯域幅と第三帯域幅の帯域幅の和が第二帯域幅以下である。
【００１２】
第一方面又は上記のいずれか可能な実現方式を参照し、第一方面の別の可能な実現方式では、第一帯域幅が占用する周波数領域リソース位置及び第三帯域幅が占用する周波数領域リソース位置はそれぞれ第二帯域幅が占用する周波数領域リソース位置のサブセットである。
【００１３】
第一方面又は上記のいずれか可能な実現方式を参照し、第一方面の別の可能な実現方式では、第一帯域幅の中心周波数ポイントが第二帯域幅の中心周波数ポイントに等しい。
【００１４】
第一方面又は上記のいずれか可能な実現方式を参照し、第一方面の別の可能な実現方式では、第三帯域幅の周波数領域リソース位置が第一帯域幅の周波数領域リソース位置の両側に位置する。
【００１５】
第一方面又は上記のいずれか可能な実現方式を参照し、第一方面の別の可能な実現方式では、第一帯域幅の周波数領域リソース位置が第二帯域幅の低周波数範囲内に位置し、及び
第三帯域幅の周波数領域リソース位置が第二帯域幅の高周波数範囲内に位置する。
【００１６】
第一方面又は上記のいずれか可能な実現方式を参照し、第一方面の別の可能な実現方式では、第一帯域幅の周波数領域リソース位置が第二帯域幅の高周波数範囲内に位置し、及び
第三帯域幅の周波数領域リソース位置が第二帯域幅の低周波数範囲内に位置する。
【００１７】
第一方面又は上記のいずれか可能な実現方式を参照し、第一方面の別の可能な実現方式では、第一帯域幅、第二帯域幅及び／又は第三帯域幅はそれぞれ整数個の物理リソースブロック（ＰＲＢ）が占用する帯域幅に等しい。
【００１８】
第一方面又は上記のいずれか可能な実現方式を参照し、第一方面の別の可能な実現方式では、第二帯域幅は２４個のＰＲＢが占用する帯域幅より小さい。
【００１９】
第一方面又は上記のいずれか可能な実現方式を参照し、第一方面の別の可能な実現方式では、第二帯域幅は１８個のＰＲＢが占用する帯域幅に等しい。
【００２０】
第一方面又は上記のいずれか可能な実現方式を参照し、第一方面の別の可能な実現方式では、第一帯域幅は１２個のＰＲＢが占用する帯域幅に等しい。
【００２１】
第一方面又は上記のいずれか可能な実現方式を参照し、第一方面の別の可能な実現方式では、ＳがＮに等しい。
【００２２】
第一方面又は上記のいずれか可能な実現方式を参照し、第一方面の別の可能な実現方式では、Ｎが２に等しく、Ｍが２に等しく、
Ｎ個の第一符号及びＭ個の第二符号の時間領域における前後順位による順番は、第一符号、第二符号、第一符号及び第二符号である。
【００２３】
第一方面又は上記のいずれか可能な実現方式を参照し、第一方面の別の可能な実現方式では、ネットワーク装置がＭ個の第二符号において、第二帯域幅を占用し、及びＮ個の第一符号のうちのＳ個の第一符号において、第三帯域幅を占用し、端末装置に同期信号ブロックに含まれる第二チャネル又は信号を送信することは、
ネットワーク装置は先周波数領域後時間領域という方式に基づき、Ｎ個の第一符号及びＭ個の第二符号の中の一番目の符号から始め、Ｎ個の第一符号及びＭ個の第二符号の時間領域における前後順位に基づき、低周波数領域リソースを先にして高周波数領域リソースを後にするように第二チャネル又は信号のマッピングを行い、第一符号においてマッピングされる帯域幅が第三帯域幅であり、第二符号においてマッピングされる帯域幅が第二帯域幅であることと、
ネットワーク装置が端末装置にマッピング後の第二チャネル又は信号を送信することと、を含む。
【００２４】
第二方面に係わる無線通信方法であって、
端末装置はＭ個の第二符号において、第二帯域幅から、及びＮ個の第一符号のうちのＳ個の第一符号において、第三帯域幅から、前記ネットワーク装置が送信した同期信号ブロックに含まれる第二チャネル又は信号を取得することと、
前記Ｎ個の第一符号において、第一帯域幅で、前記ネットワーク装置が前記同期信号ブロックに含まれる第一チャネル又は信号を送信することと、
前記第三帯域幅と前記第一帯域幅の周波数領域リソース位置が互いに重ならず、前記Ｍ、前記Ｎ及び前記Ｓが１以上の整数であることと、含む。
【００２５】
従って、本願の実施例では、第一チャネル又は信号を伝送する符号において第二チャネル又は信号を伝送でき、同期信号ブロックが占用する帯域幅を総体的に低減させることができ、それにより、初期サーチの回数を減少させながら、第二チャネル又は信号の伝送リソースを大幅に減少させる必要がなく、従って、同期信号ブロックの帯域幅を低減させるため第二チャネル又は信号伝送特性にもたらす影響を減少させ又は避け、それにより通信特性を向上させることができる。
【００２６】
第二方面を参照し、第二方面の可能な実現方式では、第一チャネル又は信号がプライマリ同期信号（ＰＳＳ）及び／又はセカンダリ同期信号（ＳＳＳ）を含む。
【００２７】
第二方面又は上記のいずれか可能な実現方式を参照し、第二方面の別の可能な実現方式では、第一チャネル又は信号はＰＳＳ及びＳＳＳを含み、ＰＳＳ及びＳＳＳが占用する第一符号は異なる。
【００２８】
第二方面又は上記のいずれか可能な実現方式を参照し、第二方面の別の可能な実現方式では、第二チャネル又は信号が物理ブロードキャストチャネル（ＰＢＣＨ）を含む。
【００２９】
第二方面又は上記のいずれか可能な実現方式を参照し、第二方面の別の可能な実現方式では、第一帯域幅と第三帯域幅の帯域幅の和が第二帯域幅以下である。
【００３０】
第二方面又は上記のいずれか可能な実現方式を参照し、第二方面の別の可能な実現方式では、第一帯域幅が占用する周波数領域リソース位置及び第三帯域幅が占用する周波数領域リソース位置はそれぞれ第二帯域幅が占用する周波数領域リソース位置のサブセットである。
【００３１】
第二方面又は上記のいずれか可能な実現方式を参照し、第二方面の別の可能な実現方式では、第一帯域幅の中心周波数ポイントが第二帯域幅の中心周波数ポイントに等しい。
【００３２】
第二方面又は上記のいずれか可能な実現方式を参照し、第二方面の別の可能な実現方式では、第三帯域幅の周波数領域リソース位置が第一帯域幅の周波数領域リソース位置の両側に位置する。
【００３３】
第二方面又は上記のいずれか可能な実現方式を参照し、第二方面の別の可能な実現方式では、第一帯域幅の周波数領域リソース位置が第二帯域幅の低周波数範囲内に位置し、及び
第三帯域幅の周波数領域リソース位置が第二帯域幅の高周波数範囲内に位置する。
【００３４】
第二方面又は上記のいずれか可能な実現方式を参照し、第二方面の別の可能な実現方式では、第一帯域幅の周波数領域リソース位置が第二帯域幅の高周波数範囲内に位置し、及び
第三帯域幅の周波数領域リソース位置が第二帯域幅の低周波数範囲内に位置する。
【００３５】
第二方面又は上記のいずれか可能な実現方式を参照し、第二方面の別の可能な実現方式では、第一帯域幅、第二帯域幅及び／又は第三帯域幅はそれぞれ整数個の物理リソースブロック（ＰＲＢ）が占用する帯域幅に等しい。
【００３６】
第二方面又は上記のいずれか可能な実現方式を参照し、第二方面の別の可能な実現方式では、第二帯域幅は２４個のＰＲＢが占用する帯域幅より小さい。
【００３７】
第二方面又は上記のいずれか可能な実現方式を参照し、第二方面の別の可能な実現方式では、第二帯域幅は１８個の物理リソースブロック（ＰＲＢ）が占用する帯域幅に等しい。
【００３８】
第二方面又は上記のいずれか可能な実現方式を参照し、第二方面の別の可能な実現方式では、第一帯域幅は１２個のＰＲＢが占用する帯域幅に等しい。
【００３９】
第二方面又は上記のいずれか可能な実現方式を参照し、第二方面の別の可能な実現方式では、ＳがＮに等しい。
【００４０】
第二方面又は上記のいずれか可能な実現方式を参照し、第二方面の別の可能な実現方式では、Ｎが２に等しく、Ｍが２に等しく、
Ｎ個の第一符号及びＭ個の第二符号の時間領域における前後順位による順番は、第一符号、第二符号、第一符号及び第二符号である。
【００４１】
第二方面又は上記のいずれか可能な実現方式を参照し、第二方面の別の可能な実現方式では、端末装置はＭ個の第二符号において、第二帯域幅から、及びＮ個の第一符号のうちのＳ個の第一符号において、第三帯域幅から、ネットワーク装置が送信した同期信号ブロックに含まれる第二チャネル又は信号を取得することは、
端末装置先周波数領域後時間領域という方式に基づき、Ｎ個の第一符号及びＭ個の第二符号の中の一番目の符号から始め、Ｎ個の第一符号及びＭ個の第二符号の時間領域における前後順位に基づき、低周波数領域リソースを先にして高周波数領域リソースを後にするように第二チャネル又は信号のデマッピングを行い、第一符号においてデマッピングされる帯域幅が第三帯域幅であり、第二符号においてデマッピングされる帯域幅が第二帯域幅であることを含む。
【００４２】
第三方面に係わるネットワーク装置であって、上記第一方面又は第一方面の任意の可能な実現方式における方法を実行するように構成される。具体的に、前記ネットワーク装置が上記第一方面又は第一方面の任意の可能な実現方式における方法を実行するための機能モジュールを含む。
【００４３】
第四方面に係わる端末装置であって、上記第二方面又は第二方面の任意の可能な実現方式における方法を実行するように構成される。具体的に、前記端末装置が上記第二方面又は第二方面の任意の可能な実現方式における方法に用いられる機能モジュールを含む。
【００４４】
第五方面に係わるネットワーク装置であって、プロセッサ、メモリ及び送受信機を含む。前記プロセッサ、前記メモリ及び前記送受信機の間が内部接続経路によって相互に通信し、制御及び／又はデータ信号を伝送し、それにより前記ネットワーク装置が上記第一方面又は第一方面の任意の可能な実現方式における方法を実行する。
【００４５】
第六方面に係わる端末装置であって、プロセッサ、メモリ及び送受信機を含む。前記プロセッサ、前記メモリ及び前記送受信機の間が内部接続経路によって相互に通信し、制御及び／又はデータ信号を伝送し、それにより前記端末装置が上記第二方面又は第二方面の任意の可能な実現方式における方法を実行する。
【００４６】
第七方面に係わるコンピューター読み取り可能な媒体であって、コンピュータプログラムを記憶するように構成され、前記コンピュータプログラムが上記任意の方法を実行することに用いられ又は任意の可能な実現方式におけるコマンドを含む。
【００４７】
第八方面に係わるコマンドを含むコンピュータプログラム製品であって、それがコンピュータにおいて実行される時、コンピュータに上記任意の方法又は任意の可能な実現方式における方法を実行させる。
【図面の簡単な説明】
【００４８】
図１は本願の実施例に係わる無線通信システムの模式的な図である。
【００４９】
図２は本願の実施例に係わる無線通信方法の模式的なフローチャートである。
【００５０】
図３は本願の実施例に係わる同期信号ブロックの伝送方式の模式的な図である。
【００５１】
図４は本願の実施例に係わる同期信号ブロックの伝送方式の模式的な図である。
【００５２】
図５は本願の実施例に係わる同期信号ブロックの伝送方式の模式的な図である。
【００５３】
図６は本願の実施例に係わる同期信号ブロックの伝送方式の模式的な図である。
【００５４】
図７は同期信号ブロックの伝送方式の模式的な図である。
【００５５】
図８は本願の実施例に係わるネットワーク装置の模式的なブロック図である。
【００５６】
図９は本願の実施例に係わる端末装置の模式的なブロック図である。
【００５７】
図１０は本願の実施例に係わるシステムチップの模式的なブロック図である。
【００５８】
図１１は本願の実施例に係わる通信装置の模式的なブロック図である。
【発明を実施するための形態】
【００５９】
以下では本願の実施例における図面を参照しながら本願の実施例における技術案を説明し、説明される実施例は本願の一部の実施例であり、全部の実施例ではないことが明らかである。本願における実施例に基づき、当業者が創造的な労力を要さずに想到し得る他の実施例は，いずれも本願の技術的範囲に属する。
【００６０】
本願の実施例の技術案は各種の通信システム、たとえば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、“ＧＳＭ”と略称）システム、符号分割多元接続（Ｃｏｄｅ  Ｄｉｖｉｓｉｏｎ  Ｍｕｌｔｉｐｌｅ  Ａｃｃｅｓｓ、“ＣＤＭＡ”と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、“ＷＣＤＭＡ”と略称）システム、汎用パケット無線サービス（Ｇｅｎｅｒａｌ  Ｐａｃｋｅｔ  Ｒａｄｉｏ  Ｓｅｒｖｉｃｅ、“ＧＰＲＳ”と略称）、ロングタームエボリューション（Ｌｏｎｇ  Ｔｅｒｍ  Ｅｖｏｌｕｔｉｏｎ、“ＬＴＥ”と略称）システム、ＬＴＥ周波数分割複信（Ｆｒｅｑｕｅｎｃｙ  Ｄｉｖｉｓｉｏｎ  Ｄｕｐｌｅｘ、“ＦＤＤ”と略称）システム、ＬＴＥ時分割複信（Ｔｉｍｅ  Ｄｉｖｉｓｉｏｎ  Ｄｕｐｌｅｘ、“ＴＤＤ”と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、“ＵＭＴＳ”と略称）、ワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、“ＷｉＭＡＸ”と略称）通信システム又は５Ｇシステム等に適用される。
【００６１】
図１は本願の実施例が応用した無線通信システム１００を示す。該無線通信システム１００はネットワーク装置１１０を含んでもよい。ネットワーク装置１００は端末装置と通信する装置であってもよい。ネットワーク装置１００は特定の地理的領域に通信カバレージを提供でき、且つ該カバレッジ領域内に位置する端末装置（たとえばＵＥ）と通信できる。好ましくは、該ネットワーク装置１００はＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、ＬＴＥシステムにおける発展型基地局（Ｅｖｏｌｕｔｉｏｎａｌ  Ｎｏｄｅ  Ｂ、ｅＮＢ又はｅＮｏｄｅＢ）であってもよく、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであり、又は該ネットワーク装置は中継局、アクセスポイント、車載装置、ウェアラブル装置、５Ｇネットワークにおけるネットワーク側装置又は未来発展の地上波公共移動通信ネットワーク（Ｐｕｂｌｉｃ  Ｌａｎｄ  Ｍｏｂｉｌｅ  Ｎｅｔｗｏｒｋ、ＰＬＭＮ）におけるネットワーク装置等であってもよい。
【００６２】
該無線通信システム１００はさらにネットワーク装置１１０カバレッジ範囲内に位置する少なくとも1つの端末装置１２０を含む。端末装置１２０は移動してもよく、又は固定してもよい。好ましくは、端末装置１２０はアクセス端末、ユーザー装置（Ｕｓｅｒ  Ｅｑｕｉｐｍｅｎｔ、ＵＥ）、加入者ユニット、加入者ステーション、移動局、移動体、遠隔局、遠隔端末、移動装置、ユーザー端末、端末、無線通信装置、ユーザーエージェント又はユーザー装置を指してもよい。アクセス端末は携帯電話、コードレスホン、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有する手持ち式デバイス、計算装置又は無線モデムに接続される他の処理装置、車載装置、ウェアラブル装置、５Ｇネットワークにおける端末装置又は未来発展のＰＬＭＮにおける端末装置等であってもよい。
【００６３】
好ましくは、端末装置１２０の間において端末直接通信（Ｄｅｖｉｃｅ  ｔｏ  Ｄｅｖｉｃｅ、Ｄ２Ｄ）を行うことができる。
【００６４】
好ましくは、５Ｇシステム又はネットワークはさらに新しい無線（Ｎｅｗ  Ｒａｄｉｏ、ＮＲ）システム又はネットワークと呼称されてもよい。
【００６５】
図１はネットワーク装置及び２つの端末装置を例示的に示し、好ましくは、該無線通信システム１００は複数のネットワーク装置を含んでもよく、且つ各ネットワーク装置のカバレッジ範囲内に他の数量の端末装置を含んでもよく、本願の実施例はこれを制限しない。
【００６６】
好ましくは、該無線通信システム１００はさらにネットワークコントローラ、移動管理エンティティ等の他のネットワークエンティティを含んでもよく、本願の実施例はこれを制限しない。
【００６７】
本文において、多くの場合、専門用語の“システム”と“ネットワーク”が本文では交換可能に使用されることが理解されるべきである。本文において、専門用語の“及び／又は”は、単に関連対象の関連関係を説明し、３つの関係が存在できると示し、たとえば、Ａ及び／又はＢは、Ａのみが存在すること、ＡとＢが同時に存在すること、Ｂのみが存在することの３つの状況を示すことができる。また、本文において、文字の“／”は、一般的に前後の関連対象が“又は”の関係であると示す。
【００６８】
図２は本願の実施例に係わる無線通信方法２００の模式的なフローチャートである。好ましくは、該方法２００が図１に示されるシステムに適用されるが、これに限らない。該方法２００は以下の内容における少なくとも一部の内容を含む。
【００６９】
２１０では、ネットワーク装置がＮ個の第一符号において、第一帯域幅を占用し、端末装置に同期信号ブロックに含まれる第一チャネル又は信号を送信し、該Ｎが１以上の整数である。
【００７０】
好ましくは、Ｎが１より大きい時、Ｎ個の第一符号が連続的なＮ個の符号であってもよく、不連続なＮ個符号であってもよい。
【００７１】
好ましくは、該第一チャネル又は信号がＰＳＳ及び／又はＳＳＳを含む。
【００７２】
好ましくは、該第一チャネル又は信号はＰＳＳ及びＳＳＳを含み、該ＰＳＳ及び該ＳＳＳは占用する該第一符号が異なる。
【００７３】
たとえば、第一チャネル又は信号がプライマリ同期信号及びセカンダリ同期信号を含み、Ｎが２に等しく、1つの符号がプライマリ同期信号を送信することに用いられ、もう1つの符号がセカンダリ同期信号を送信することに用いられ、プライマリ同期信号を送信するために占用する符号及びセカンダリ同期信号を送信するために占用する符号は1つの符号の間隔をおくことができる。
【００７４】
好ましくは、第一帯域幅が占用する周波数領域リソースが連続的な周波数領域リソースであってもよく、不連続な周波数領域リソースであってもよい。
【００７５】
好ましくは、第一チャネル又は信号は第一符号において第一帯域幅を占用するチャネル又は信号を指し、同一な帯域幅特徴を有するチャネル又は信号を含んでもよく、又はある種類のチャネル又は信号を含み、分類の粒度が具体的な状況に応じて決まることができ、本願の実施例はこれを制限せず、たとえば、第一チャネル又は信号が同期信号であり、又は第一チャネル又は信号がプライマリ同期信号又はセカンダリ同期信号である。
【００７６】
好ましくは、Ｎが１より大きい時、各第一符号において第一チャネル又は信号を送信するために占用する第一帯域幅の幅及び／又はリソース位置が他の少なくとも1つの第一符号において第一チャネル又は信号を送信するために占用する帯域幅の幅及び／又はリソース位置と異なってもよい。
【００７７】
たとえば、第一チャネル又は信号がプライマリ同期信号及びセカンダリ同期信号を含み、Ｎが２に等しく、1つの符号がプライマリ同期信号を送信することに用いられ、もう1つの符号がセカンダリ同期信号を送信することに用いられ、プライマリ同期信号を送信するために占用する帯域幅及び／又はリソース位置がセカンダリ同期信号を送信するために占用する帯域幅及び／又はリソース位置と異なる。
【００７８】
当然なことながら、Ｎ個の符号において第一チャネル又は信号を送信するために占用する第一帯域幅の幅及び／又はリソース位置が同一であってもよい。
【００７９】
たとえば、第一チャネル又は信号がプライマリ同期信号及びセカンダリ同期信号を含み、Ｎが２に等しく、1つの符号がプライマリ同期信号を送信することに用いられ、もう1つの符号がセカンダリ同期信号を送信することに用いられ、プライマリ同期信号を送信するために占用する帯域幅及び／又はリソース位置がセカンダリ同期信号を送信するために占用する帯域幅及び／又はリソース位置に等しい。
【００８０】
好ましくは、第一帯域幅は整数個の物理リソースブロック（Ｐｈｙｓｉｃａｌ  Ｒｅｓｏｕｒｃｅ  Ｂｌｏｃｋ、ＰＲＢ）が占用する帯域幅に等しく、たとえば、第一帯域幅は１２個のＰＲＢが占用する帯域幅に等しく、当然なことながら、他の数値、たとえば、１０又は１４個のＰＲＢが占用する帯域幅であってもよい。
【００８１】
好ましくは、本願の実施例では、第一チャネル又は信号を送信するために占用する第一帯域幅が両側の保護サブキャリア間隔を含んでもよい。
【００８２】
２２０では、該ネットワーク装置がＭ個の第二符号において、第二帯域幅を占用し、及び該Ｎ個の第一符号のうちのＳ個の第一符号において、第三帯域幅を占用し、該端末装置に該同期信号ブロックに含まれる第二チャネル又は信号を送信し、該第一帯域幅と該第三帯域幅の周波数領域リソース位置が互いに重ならず、該Ｍ及び該Ｓが１以上の整数である。
【００８３】
好ましくは、Ｎ個の第一符号とＭ個の第二符号が交差して並ぶ。
【００８４】
たとえば、該Ｎが２に等しく、該Ｍが２に等しく、該Ｎ個の第一符号及び該Ｍ個の第二符号の時間領域における前後順位による順番は、該第一符号、該第二符号、該第一符号及び該第二符号である。
【００８５】
好ましくは、Ｍが１より大きい時、Ｍ個の第一符号が連続的なＭ個の符号であってもよく、不連続なＭ個の符号であってもよい。
【００８６】
好ましくは、該第一チャネル又は信号がＰＢＣＨを含む。好ましくは、本願の実施例に言及されたＰＢＣＨがＰＢＣＨのＤＭＲＳを含んでもよい。
【００８７】
好ましくは、第一チャネル又は信号がＰＳＳを含むがＳＳＳを含まず、これは、ＰＳＳを伝送する符号のみにおいてＰＢＣＨを伝送し、ＳＳＳを伝送する符号においてＰＢＣＨを伝送しないことができることを意味する。
【００８８】
又は、第一チャネル又は信号がＳＳＳを含むがＰＳＳを含まず、これは、ＳＳＳを伝送する符号のみにおいてＰＢＣＨを伝送し、伝送ＰＳＳの符号においてＰＢＣＨを伝送しないことができることを意味する。
【００８９】
又は、第一チャネル又は信号がＰＳＳを含み及びＳＳＳを含み、これｈあ、ＰＳＳを伝送する符号及びＳＳＳを伝送する符号においてＰＢＣＨを伝送できることを意味する。
【００９０】
本願の実施例の多くの箇所は第一チャネル又は信号がＰＳＳ及び／又はＳＳＳを含み、及び第二チャネル又は信号がＰＢＣＨを含むことを例として説明したが、本願の実施例はこれに限らないことが理解されるべきである。
【００９１】
たとえば、第一チャネル又は信号がＰＳＳを含み、及び第二チャネル又は信号がＳＳＳを含み、又は、第一チャネル又は信号がＳＳＳを含み、及び第二チャネル又は信号がＰＳＳを含み、又は、第一チャネル又は信号がＰＢＣＨを含み、及び第二チャネル又は信号がＰＳＳ及び／又はＳＳＳを含む。
【００９２】
好ましくは、第二帯域幅が占用する周波数領域リソースは連続的な周波数領域リソースであってもよく、不連続な周波数領域リソースであってもよい。
【００９３】
好ましくは、第二チャネル又は信号は第二符号において第二帯域幅を占用し及び第一符号において第三帯域幅を占用するチャネル信号を指し、同一な帯域幅特徴を有するチャネル又は信号を含んでもよく、又はある種類のチャネル又は信号を含み、分類の粒度が具体的な状況に応じて決まることができ、本願の実施例はこれを制限しない。
【００９４】
好ましくは、Ｍが１より大きい時、各第二符号において第二チャネル又は信号を送信するために占用する第二帯域幅の幅及び／又はリソース位置が他の少なくとも1つの第二符号において第二チャネル又は信号を送信するために占用する帯域幅の幅及び／又はリソース位置と異なってもよい。
【００９５】
当然なことながら、Ｍ個の第二符号において第二チャネル又は信号を送信するために占用する第二帯域幅の幅及び／又はリソース位置が同一であってもよい。
【００９６】
好ましくは、Ｓが１より大きい時、Ｓ個の第一符号における各第一符号において第二チャネル又は信号を送信するために占用する第三帯域幅の幅及び／又はリソース位置が他の少なくとも1つの第一符号において第二チャネル又は信号を送信するために占用する帯域幅の幅及び／又はリソース位置と異なっても良い。
【００９７】
当然なことながら、Ｓ個の第一符号において第二チャネル又は信号を送信するために占用する第二帯域幅の幅及び／又はリソース位置が同一であってもよい。
【００９８】
好ましくは、ＳがＮ以下である。
【００９９】
第一チャネル又は信号はＰＳＳ及びＳＳＳを含み、第二チャネル又は信号がＰＢＣＨであり、且つＮが２に等しいと、ＳがＮより小さいことはＰＳＳのみ又はＳＳＳのみが占用する符号はＰＢＣＨを伝送することに用いられることを意味する。
【０１００】
好ましくは、第二帯域幅は整数個のＰＲＢが占用する帯域幅に等しい。
【０１０１】
好ましくは、第二帯域幅は２４個のＰＲＢが占用する帯域幅より小さく、たとえば、１８個のＰＲＢが占用する帯域幅に等しく、当然なことながら、他の数値であってもよく、たとえば、２０個、１６個等のＰＲＢが占用する帯域幅に等しい。
【０１０２】
好ましくは、第三帯域幅は整数個のＰＲＢが占用する帯域幅に等しい。
【０１０３】
好ましくは、第三帯域幅は６個のＰＲＢが占用する帯域幅に等しく、当然なことながら、他の数値であってもよく、たとえば、５つ、４つ等のＰＲＢが占用する帯域幅に等しい。
【０１０４】
好ましくは、本願の実施例では、第二チャネル又は信号を送信するために占用する第二帯域幅が両側の保護サブキャリア間隔を含んでもよい。
【０１０５】
好ましくは、本願の実施例では、第二チャネル又は信号を送信するために占用する第三帯域幅が両側の保護サブキャリア間隔を含んでもよい。
【０１０６】
２３０では、端末装置はＮ個の第一符号において、ネットワーク装置が第一帯域幅で送信した同期信号ブロックに含まれる第一チャネル又は信号を取得する。
【０１０７】
具体的には、端末装置がＮ個の第一符号においてブラインド検出を行うことができ、それによりネットワーク装置が第一帯域幅では送信する第一チャネル又は信号、たとえば、ＰＳＳ及びＳＳＳを取得する。
【０１０８】
２４０では、該端末装置はＭ個の第二符号において、第二帯域幅から、及び該Ｎ個の第一符号のうちのＳ個の第一符号において、第三帯域幅から、該ネットワーク装置が送信した該同期信号ブロックに含まれる第二チャネル又は信号を取得する。
【０１０９】
それにより、端末装置が第一チャネル又は信号及び第二チャネル又は信号を取得した後、セル識別子（Ｉｄｅｎｔｉｆｉｅｒ、ＩＤ）を取得し、時間周波数同期を行い、物理ブロードキャストチャネル（Ｐｈｙｓｉｃａｌ  Ｂｒｏａｄｃａｓｔｉｎｇ  Ｃｈａｎｎｅｌ、ＰＢＣＨ）情報を取得し、又はＳＳＳ及びＰＢＣＨの復調基準信号（Ｄｅｍｏｄｕｌａｔｉｏｎ  Ｒｅｆｅｒｅｎｃｅ  Ｓｉｇｎａｌ、ＤＭＲＳ）に基づきＲＲＭ測定を行うこと等ができる。
【０１１０】
好ましくは、ネットワーク装置が複数のＳＳ  Ｂｌｏｃｋを送信でき、複数のＳＳ  Ｂｌｏｃｋが同期信号バーストセット（Ｓｙｎｃｈｒｏｎｉｓａｔｉｏｎ  Ｓｉｇｎａｌ  ｂｕｒｔｓ  ｓｅｔ、  ＳＳ  ｂｕｒｓｔ  ｓｅｔ）を構成できる。複数のＳＳ  Ｂｌｏｃｋは複数の送信ビームを用いてそれぞれ送信でき、各ＳＳ  Ｂｌｏｃｋの送信ビームが他のＳＳ  Ｂｌｏｃｋの送信ビームと異なる。
【０１１１】
好ましくは、該第一帯域幅と該第三帯域幅の帯域幅の和が該第二帯域幅以下である。
【０１１２】
たとえば、第二帯域幅がＸであり、第一帯域幅がＹであると、第三帯域幅がＸ−Ｙ以下であってもよく、つまり、Ｎ個の第一符号において、第一チャネル又は信号を伝送する帯域幅Ｙは、Ｎ個の第一符号におけるＳ個の符号において、第二チャネル又は信号を伝送する帯域幅がＸ−Ｙ以下であり、第二符号において、第二チャネル又は信号を伝送する帯域幅がＸである。
【０１１３】
ＳがＮより小さい時、Ｎ個の第一符号のうちＳ個の第一符号を除く他の符号において、残りのＸ−Ｙの帯域幅が非第一チャネル又は信号及び非第二チャネル又は信号の他のチャネル又は信号を伝送してもよく、任意のチャネル又は信号を伝送しなくてもよい。
【０１１４】
好ましくは、該第一帯域幅が占用する周波数領域リソース位置及び該第三帯域幅が占用する周波数領域リソース位置はそれぞれ該第二帯域幅が占用する周波数領域リソース位置のサブセットである。この時、好ましくは、第二帯域幅の中心周波数ポイントを同期信号ブロックの中心周波数ポイントと呼称してもよい。
【０１１５】
第一帯域幅が占用する周波数領域リソース位置及び該第三帯域幅が占用する周波数領域リソース位置は該第二帯域幅が占用する周波数領域リソース位置に等しくてもよく、又は該第二帯域幅が占用する周波数領域リソース位置のサブセットであってもよい。
【０１１６】
好ましくは、該第一帯域幅の中心周波数ポイントが該第二帯域幅の中心周波数ポイントに等しい。この時、該第三帯域幅の周波数領域リソース位置が該第一帯域幅の周波数領域リソース位置の両側に位置してもよい。この時、好ましくは、該第一帯域幅と該第三帯域幅の帯域幅の和が該第二帯域幅以下である。
【０１１７】
たとえば、仮に、第一チャネル又は信号はＰＳＳ及びＳＳＳを含み、第二チャネル又は信号がＰＢＣＨを含み、第二帯域幅がＸであり、第一帯域幅がＹであると、ＳＳ  ｂｌｏｃｋ内において、ＰＳＳ及びＳＳＳを伝送する符号両側にいずれも（Ｘ−Ｙ）／２帯域幅の余剰帯域幅が残され、ＰＢＣＨのみを伝送する符号を除き、ＰＳＳ／ＳＳＳ符号における両側の余剰帯域幅がいずれもＰＢＣＨを伝送することに用いられる。
【０１１８】
たとえば、図３に示されるように、ＳＳ  ｂｌｏｃｋ内において、ＰＢＣＨのみを伝送する符号におけるＰＢＣＨの帯域幅は１８個のＰＲＢであるが、ＰＳＳ及びＳＳＳが占用する帯域幅はいずれも１２個のＰＲＢであり、且つＰＳＳ及びＳＳＳが占用する１２個のＰＲＢの中心周波数ポイントはＳＳ  ｂｌｏｃｋの中心周波数ポイントであると、ＰＳＳ両側にそれぞれ３つのＰＲＢが残され、ＳＳＳ両側にそれぞれ３つのＰＲＢが残され、これらの残されたＰＲＢがＰＢＣＨを伝送することに用いることができる。
【０１１９】
該第一帯域幅の中心周波数ポイントが該第二帯域幅の中心周波数ポイントに等しい時、該第三帯域幅の周波数領域リソース位置がさらに該第一帯域幅の周波数領域リソース位置の一側に位置してもよく、他側が非第一チャネル又は信号及び非第二チャネル又は信号のチャネル又は信号を伝送してもよく、任意のチャネル又は信号の伝送を行わなくてもよいことが理解されるべきである
好ましくは、該第三帯域幅の周波数領域リソース位置が該第二帯域幅の低周波数範囲内に位置し、及び該第一帯域幅の周波数領域リソース位置が該第二帯域幅の高周波数範囲内に位置し、この時、第三帯域幅の周波数範囲が第一帯域幅の周波数範囲より小さい。
【０１２０】
この時、好ましくは、第三帯域幅の最も低い周波数領域リソース位置が第二帯域幅の最も低い周波数領域リソース位置に等しくてもよく、第一帯域幅の最も高い周波数領域リソース位置が第二帯域幅の最も高い周波数領域リソース位置に等しくてもよく、
たとえば、仮に、第一チャネル又は信号がＰＳＳ及びＳＳＳを含み、第二チャネル又は信号がＰＢＣＨを含み、第二帯域幅がＸであり、第一帯域幅がＹであると、ＳＳ  ｂｌｏｃｋ内において、伝送ＰＳＳ及びＳＳＳの符号一側に（Ｘ−Ｙ）帯域幅の余剰帯域幅が残され、ＰＢＣＨのみを伝送する符号を除き、ＰＳＳ及びＳＳＳを伝送する符号における一側余剰帯域幅がＰＢＣＨを伝送することに用いられる。
【０１２１】
図４に示されるように、ＳＳ  ｂｌｏｃｋ内において、ＰＢＣＨのみを伝送する符号におけるＰＢＣＨの帯域幅は１８個のＰＲＢであるが、ＰＳＳ／ＳＳＳが占用する帯域幅はいずれも１２個のＰＲＢ（ＰＳＳ及びＳＳＳ両側の保護サブキャリアを含む）であり、ＰＳＳ及びＳＳＳを伝送する符号において、ＰＳＳ及びＳＳＳが占用する１２個のＰＲＢはＳＳ  ｂｌｏｃｋの高周波数範囲内に位置すると、ＳＳ  ｂｌｏｃｋの低周波数範囲内に６つのＰＲＢが残され、これらの残されたＰＲＢがいずれもＰＢＣＨを伝送することに用いられる。
【０１２２】
好ましくは、該第一帯域幅の周波数領域リソース位置が該第二帯域幅の低周波数範囲内に位置し、及び該第三帯域幅の周波数領域リソース位置が該第二帯域幅の高周波数範囲内に位置する。
【０１２３】
たとえば、仮に、第一チャネル又は信号がＰＳＳ及びＳＳＳを含み、第二チャネル又は信号がＰＢＣＨを含み、第二帯域幅がＸであり、第一帯域幅がＹであると、ＳＳ  ｂｌｏｃｋ内において、ＰＳＳ及びＳＳＳを伝送する符号一側に（Ｘ−Ｙ）帯域幅の余剰帯域幅が残され、ＰＢＣＨのみを伝送する符号を除き、ＰＳＳ及びＳＳＳを伝送する符号における一側に残された帯域幅がＰＢＣＨを伝送することに用いられる。
【０１２４】
図５に示されるように、ＳＳ  ｂｌｏｃｋ内において、ＰＢＣＨのみを伝送する符号におけるＰＢＣＨの帯域幅は１８個のＰＲＢであるが、ＰＳＳ／ＳＳＳが占用する帯域幅はいずれも１２個のＰＲＢ（ＰＳＳ及びＳＳＳ両側の保護サブキャリアを含む）であり、ＰＳＳ及びＳＳＳを伝送する符号において、ＰＳＳ及びＳＳＳが占用する１２個のＰＲＢがＳＳ  ｂｌｏｃｋの低周波数範囲内に位置すると、ＳＳ  ｂｌｏｃｋの高周波数範囲内に６つのＰＲＢが残され、これらの残されたＰＲＢがいずれもＰＢＣＨを伝送することに用いられる。
【０１２５】
好ましくは、該ネットワーク装置は先周波数領域後時間領域という方式に基づき、該Ｎ個の第一符号及び該Ｍ個の第二符号の中の一番目の符号から始め、該Ｎ個の第一符号及び該Ｍ個の第二符号の時間領域における前後順位に基づき、低周波数領域リソースを先にして高周波数領域リソースを後にするように該第二チャネル又は信号のマッピングを行い、該第一符号においてマッピングされる帯域幅が該第三帯域幅であり、該第二符号においてマッピングされる帯域幅が該第二帯域幅であり、該ネットワーク装置が該端末装置にマッピング後の該第二チャネル又は信号を送信する。それに応じて、該端末装置は先周波数領域後時間領域という方式に基づき、該Ｎ個の第一符号及び該Ｍ個の第二符号の中の一番目の符号から始め、該Ｎ個の第一符号及び該Ｍ個の第二符号の時間領域における前後順位に基づき、低周波数領域リソースを先にして高周波数領域リソースを後にするように該第二チャネル又は信号のデマッピングを行い、該第一符号においてデマッピングされる帯域幅が該第三帯域幅であり、該第二符号においてデマッピングされる帯域幅が該第二帯域幅である。
【０１２６】
たとえば、図６に示されるように、ＰＢＣＨマッピングは上記したＰＢＣＨを伝送できる周波数帯において先周波数領域後時間領域という方式に基づいてマッピングを行う。
【０１２７】
たとえば、図６を例として、ＰＢＣＨは先周波数領域後時間領域（一番目の符号から始め、低周波数領域帯域幅を先にして、高時間領域帯域幅を後にして、次に、順に後続する符号がこのように操作する）という方式に基づいてマッピングを行うことができ、すなわち、図６におけるＰＢＣＨ１−ＰＢＣＨ２−ＰＢＣＨ３−ＰＢＣＨ４−ＰＢＣＨ５−ＰＢＣＨ６帯域幅の順番に基づいてマッピングを行い、各部の帯域幅においても、低周波領域から高周波領域への順番に基づいてマッピングを行う。
【０１２８】
本願の実施例では、時間領域又は周波数領域を先にするという方式に基づいてマッピングを行ってもよく、又は、周波数領域マッピングを行う時、高周波をして、再び高周波をするという方式に基づいてマッピングを行ってもよいことが理解されるべきである
端末装置は帯域においてセルサーチを行う時、セルサーチの同期チャネルラスターの値は端末の帯域幅に関し、さらにＳＳ  ｂｌｏｃｋが占用する帯域幅に関するため、ＳＳ  ｂｌｏｃｋは占用する帯域幅が大きいほど、もたらしたセルサーチの同期チャネルラスターの値が小さくなる。
【０１２９】
従って、本願の実施例では、第一チャネル又は信号を伝送する符号において第二チャネル又は信号を伝送でき、同期信号ブロックが占用する帯域幅を総体的に低減させることができ、それにより、初期サーチの回数を減少させながら、第二チャネル又は信号の伝送リソースを大幅に減少させる必要がなく、従って、同期信号ブロックの帯域幅を低減させるため第二チャネル又は信号伝送特性にもたらす影響を減少させ又は避け、それにより通信特性を向上させることができる。
【０１３０】
たとえば、仮に、第一チャネル又は信号はＰＳＳ及びＳＳＳを含み、第二チャネル又は信号がＰＢＣＨであると、ＰＳＳ及びＳＳＳのシーケンス長さが１２７であり、１２個のＰＲＢの１２７個のＲＥを占用する必要があり、ＰＢＣＨチャネルが２４個のＰＲＢの２８８個のＲＥを占用する必要があり、図７に示されるように、第一及び第三符号においてそれぞれＰＳＳ及びＳＳＳを伝送し、及び第二及び第四符号においてＰＢＣＨのみを伝送すると、ＳＳ  Ｂｌｏｃｋが占用する帯域幅は２４個のＰＲＢが占用する帯域幅であり、図３−６に示されるように、第一及び第三符号における６つのＰＲＢを占用してＰＢＣＨを伝送すると、ＳＳ  Ｂｌｏｃｋの帯域幅が１８個のＰＲＢであり、それにより、ＳＳ  Ｂｌｏｃｋの帯域幅を低減させることを基礎として、ＰＢＣＨが占用するリソースを減少させることを避けることができ、それにより通信特性を向上させることができる。
【０１３１】
上文は第一チャネル又は信号及び第二チャネル又は信号を同期信号ブロックに含まれるチャネル又は信号として説明したが、本願の実施例はこれに限らず、第一チャネル又は信号及び第二チャネル又は信号が同期信号ブロックに含まれるチャネル又は信号であってもよく、たとえば、第一チャネル又は信号が物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）であり、第二チャネル又は信号が物理下りシェアドチャネル（Ｐｈｙｓｉｃａｌ  Ｄｏｗｎｌｉｎｋ  Ｓｈａｒｅｄ  Ｃｈａｎｎｅｌ、ＰＤＳＣＨ）であり、又は第一チャネル又は信号及び第二チャネル又は信号が他のチャネル又は信号であることが理解されるべきである。
【０１３２】
図８は本願の実施例に係わるネットワーク装置３００の模式的なブロック図である。図８に示されるように、該ネットワーク装置３００が第一伝送ユニット３１０及び第二伝送ユニット３２０を含み、前記第一伝送ユニット３１０は、Ｎ個の第一符号において、第一帯域幅を占用し、端末装置に同期信号ブロックに含まれる第一チャネル又は信号を送信し、前記Ｎが１以上の整数であるように構成される。前記第二伝送ユニット３２０は、Ｍ個の第二符号において、第二帯域幅を占用し、及び前記Ｎ個の第一符号のうちのＳ個の第一符号において、第三帯域幅を占用し、前記端末装置に前記同期信号ブロックに含まれる第二チャネル又は信号を送信し、前記第一帯域幅と前記第三帯域幅の周波数領域リソース位置が互いに重ならず、前記Ｍと前記Ｓが１以上の整数であるように構成される。
【０１３３】
該ネットワーク装置６００が方法２００におけるネットワーク装置に対応でき、方法２００におけるネットワーク装置が実現した対応する操作を実現でき、簡潔にするために、ここで説明を省略することが理解されるべきである。
【０１３４】
図９は本願の実施例に係わる端末装置４００の模式的なブロック図である。図９に示されるように、該端末装置４００が取得ユニット４１０を含み、前記取得ユニット４１０は、Ｍ個の第二符号において、第二帯域幅から、及び前記Ｎ個の第一符号のうちのＳ個の第一符号において、第三帯域幅から、前記ネットワーク装置が送信した前記同期信号ブロックに含まれる第二チャネル又は信号を取得し、前記Ｎ個の第一符号において、第一帯域幅で、前記ネットワーク装置が前記同期信号ブロックに含まれる第一チャネル又は信号を送信し、前記第三帯域幅と前記第一帯域幅の周波数領域リソース位置が互いに重ならず、前記Ｍ、前記Ｎ及び前記Ｓが１以上の整数であるように構成される。
【０１３５】
好ましくは、該取得ユニット４１０がさらに２３０における操作を実行し、第一チャネル又は信号を取得することができる。
【０１３６】
該端末装置４００が方法２００における端末装置を対応でき、方法２００における端末装置が実現した対応する操作を実現でき、簡潔にするために、ここで説明を省略することが理解されるべきである。
【０１３７】
図１０は本願の実施例のシステムチップ５００の１つの模式的な構造図である。図１０のシステムチップ５００が入力インタフェース５０１、出力インタフェース５０２を含み、前記プロセッサ５０３及びメモリ５０４の間が内部通信接続ラインを介して接続でき、前記プロセッサ５０３が前記メモリ５０４におけるコードを実行することに用いられる。
【０１３８】
好ましくは、前記コードが実行される時、前記プロセッサ５０３は方法の実施例ではネットワーク装置によって実行される方法を実現する。簡潔にするために、ここで説明を省略する。
【０１３９】
好ましくは、前記コードが実行される時、前記プロセッサ５０３は方法の実施例では端末装置によって実行される方法を実現する。簡潔にするために、ここで説明を省略する。
【０１４０】
図１１は本願の実施例に係わる通信装置６００の模式的なブロック図である。図１１に示されるように、該通信装置６００がプロセッサ６１０及びメモリ６２０を含む。該メモリ６２０がプログラムコードを記憶でき、該プロセッサ６１０が該メモリ６２０に記憶されるプログラムコードを実行できる。
【０１４１】
好ましくは、図１１に示されるように、該通信装置６００が送受信機６３０を含んでもよく、プロセッサ６１０は送受信機６３０が外部と通信することを制御できる。
【０１４２】
好ましくは、該プロセッサ６１０がメモリ６２０に記憶されるプログラムコードを呼び出し、方法の実施例におけるネットワーク装置の対応する操作を実行することができ、簡潔にするために、ここで説明を省略する。
【０１４３】
好ましくは、該プロセッサ６１０がメモリ６２０に記憶されるプログラムコードを呼び出し、方法の実施例における端末装置の対応する操作を実行することができ、簡潔にするために、ここで説明を省略する。
【０１４４】
本願の実施例のプロセッサは集積回路チップである可能性があり、信号の処理能力を有することが理解されるべきである。実現過程では、上記方法の実施例の各ステップはプロセッサにおけるハードウェアの集積論理回路又はソフトウェア形式のコマンドによって完了できる。上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブル論理デバイス、離散ゲート又はトランジスタ論理デバイス、離散ハードウェアコンポーネントであってもよい。本願の実施例に開示されている各方法、ステップ及び論理ブロック図を実現または実行可能である。汎用プロセッサはマイクロプロセッサであってもよく、又は該プロセッサは任意の通常のプロセッサ等であってもよい。本願の実施例に開示されている方法を参照するステップはハードウェアデコードプロセッサによって実行して完了し、又はデコードプロセッサにおけるハードウェア及びソフトウェアモジュールの組み合わせによって実行して完了すると直接体現されてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に位置してもよい。該記憶媒体がメモリに位置し、プロセッサがメモリにおける情報を読み取り、そのハードウェアと組み合わせて上記方法のステップを完了する。
【０１４５】
本願の実施例におけるメモリは揮発性メモリであってもよく、又は不揮発性メモリであってもよく、又は揮発性及び不揮発性メモリの両方を含んでもよいことが理解される。不揮発性メモリは読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、それが外部キャッシュメモリとして使用される。例示的であるが限定的ではない説明により、多くの形式のＲＡＭ、たとえばスタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張型同期ダイナミックランダムアクセスメモリ（Ｅｎｈａｎｃｅｄ  ＳＤＲＡＭ、ＥＳＤＲＡＭ）、同期接続ダイナミックランダムアクセスメモリ（Ｓｙｎｃｈｌｉｎｋ  ＤＲＡＭ、ＳＬＤＲＡＭ）及び直接メモリーバスランダムアクセスメモリ（Ｄｉｒｅｃｔ  Ｒａｍｂｕｓ  ＲＡＭ、ＤＲ  ＲＡＭ）を使用できる。本文に説明されたシステム及び方法のメモリは、これら及び任意の他の適合なタイプのメモリを含むが、それに制限されないことを目的とすることは注意されるべきである。
【０１４６】
当業者は分かるように、本文に開示されている実施例を参照しながら説明した各例のユニット及びアルゴリズムステップは、電子ハードウェア、又はコンピュータソフトウェアと電子ハードウェアの組み合わせで実現できる。そのような機能がハードウェアとして、あるいはソフトウェアとして実現されるかどうかは、技術案の特定のアプリケーション及び設計の制約に依存する。専門技術者は各特定のアプリケーションに対して異なる方法を用いて説明された機能を実現できるが、このような実現が本願の範囲を超えるものと見なすべきではない。
【０１４７】
当業者は、説明の便宜上及び簡潔さのために、上記のシステム、装置及びユニットの具体的な作業過程は、上記方法の実施例の対応する過程を参照できることを明確に理解でき、ここで説明を省略する。
【０１４８】
本願が提供したいくつかの実施例では、開示されるシステム、装置及び方法は、他の方式で実現できることが理解されるべきである。例えば、以上に説明された装置の実施例は単なる模式的なものであり、例えば、前記ユニットの区分は、単なる論理機能の区分であり、実際に実現される時に別の区別方式を有してもよく、例えば複数のユニット又はコンポーネントが組み合わせられてもよく、又は別のシステムに集積されてもよく、又はある特徴を無視してもよく、又は実行しない。一方、表示され又は検討される相互のカップリング又は直接カップリング又は通信接続はあるインターフェース、装置又はユニットの間接カップリング又は通信接続を用いてもよく、電気、機械又は他の形式であってもよい。
【０１４９】
前記した分離部材として説明されたユニットは物理的に分離するものであってもよく、又は物理的に分離するものでなくてもよく、ユニットとして表示される部材は物理ユニットであってもよく、又は物理ユニットでなくてもよく、すなわち1つの場所に位置してもよく、又は複数のネットワークユニットに分布してもよい。実際の必要に応じてそのうちの位置又は全部のユニットを選択して本実施例の解決策の目的を実現することができる。
【０１５０】
また、本願の各実施例における各機能ユニットは1つの処理ユニットに集積してもよく、各ユニットが物理的に別個存在してもよく、２つ又は２つ以上のユニットが1つのユニットに集積されてもよい。
【０１５１】
前記機能はソフトウェア機能ユニットの形式で実現され且つ独立した製品を販売し又は使用する時、1つのコンピュータ読み取り可能な取記憶媒体に記憶されてもよい。このような理解に基づき、本願の技術案、又は従来技術に貢献する部分又は前記技術案の部分はソフトウェア製品の形式で具現化されてもよく、前記コンピュータソフトウェア製品は1つの記憶媒体に記憶され、いくつかのコマンドを含み、それにより１台のコンピュータ装置（パーソナルコンピュータ、サーバー、又はネットワーク装置等であってもよい）に本願の各実施例に記載の方法の全部又は一部のステップを実行させる。上記記憶媒体は、USBメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる各種の媒体を含む。
【０１５２】
上記は本出願の特定の実施形態にすぎないが、本出願の保護範囲はそれに限定されず、当業者が本出願に開示された技術的範囲内で変更又は置換を容易に考えることができるものは本願の保護範囲に含まれるべきである。従って、本願の保護範囲は、請求項の保護範囲に従うものとする。
【図１】
2021502725.tif 000003
【図２】
2021502725.tif 000004
【図３】
2021502725.tif 000005
【図４】
2021502725.tif 000006
【図５】
2021502725.tif 000007
【図６】
2021502725.tif 000008
【図７】
2021502725.tif 000009
【図８】
2021502725.tif 000010
【図９】
2021502725.tif 000011
【図１０】
2021502725.tif 000012
【図１１】
2021502725.tif 000013
【手続補正書】
【提出日】平成31年2月11日(2019.2.11)
【手続補正１】
【補正対象書類名】特許請求の範囲
【補正対象項目名】全文
【補正方法】変更
【補正の内容】
【特許請求の範囲】
【請求項１】
無線通信方法であって、
ネットワーク装置が、Ｎ個の第一符号において、第一帯域幅を占用し、端末装置に同期信号ブロックに含まれる第一チャネル又は信号を送信することであって、前記Ｎが１以上の整数であることと、
前記ネットワーク装置が、Ｍ個の第二符号において、第二帯域幅を占用し、及び前記Ｎ個の第一符号のうちのＳ個の第一符号において、第三帯域幅を占用し、前記端末装置に前記同期信号ブロックに含まれる第二チャネル又は信号を送信することであって、前記第一帯域幅と前記第三帯域幅の周波数領域リソース位置が互いに重ならず、前記Ｍと前記Ｓが１以上の整数である、ことと、を含むことを特徴とする、前記無線通信方法。
【請求項２】
前記第一チャネル又は信号がプライマリ同期信号（ＰＳＳ）及び／又はセカンダリ同期信号（ＳＳＳ）を含むことを特徴とする
請求項１に記載の方法。
【請求項３】
前記第一チャネル又は信号がＰＳＳ及びＳＳＳを含み、前記ＰＳＳ及び前記ＳＳＳは占用する前記第一符号が異なることを特徴とする
請求項２に記載の方法。
【請求項４】
前記第二チャネル又は信号が物理ブロードキャストチャネル（ＰＢＣＨ）を含むことを特徴とする
請求項１〜３のいずれか一項に記載の方法。
【請求項５】
前記第一帯域幅と前記第三帯域幅の帯域幅の和が前記第二帯域幅以下であることを特徴とする
請求項１〜４のいずれか一項に記載の方法。
【請求項６】
前記第一帯域幅が占用する周波数領域リソース位置及び前記第三帯域幅が占用する周波数領域リソース位置は、それぞれ前記第二帯域幅が占用する周波数領域リソース位置のサブセットであることを特徴とする
請求項１〜５のいずれか一項に記載の方法。
【請求項７】
前記第一帯域幅の中心周波数ポイントが前記第二帯域幅の中心周波数ポイントに等しいことを特徴とする
請求項１〜６のいずれか一項に記載の方法。
【請求項８】
前記第三帯域幅の周波数領域リソース位置が前記第一帯域幅の周波数領域リソース位置の両側に位置することを特徴とする
請求項１〜７のいずれか一項に記載の方法。
【請求項９】
前記第一帯域幅の周波数領域リソース位置が前記第二帯域幅の低周波数範囲内に位置し、及び
前記第三帯域幅の周波数領域リソース位置が前記第二帯域幅の高周波数範囲内に位置することを特徴とする
請求項１〜６のいずれか一項に記載の方法。
【請求項１０】
前記第一帯域幅の周波数領域リソース位置が前記第二帯域幅の高周波数範囲内に位置し、及び
前記第三帯域幅の周波数領域リソース位置が前記第二帯域幅の低周波数範囲内に位置することを特徴とする
請求項１〜６のいずれか一項に記載の方法。
【請求項１１】
前記第一帯域幅、前記第二帯域幅及び／又は前記第三帯域幅は、それぞれ整数個の物理リソースブロック（ＰＲＢ）が占用する帯域幅に等しいことを特徴とする
請求項１〜１０のいずれか一項に記載の方法。
【請求項１２】
前記第二帯域幅は２４個のＰＲＢが占用する帯域幅より小さいことを特徴とする
請求項１〜１１のいずれか一項に記載の方法。
【請求項１３】
前記第二帯域幅は１８個のＰＲＢが占用する帯域幅に等しいことを特徴とする
請求項１〜１２のいずれか一項に記載の方法。
【請求項１４】
前記第一帯域幅は１２個のＰＲＢが占用する帯域幅に等しいことを特徴とする
請求項１〜１３のいずれか一項に記載の方法。
【請求項１５】
前記Ｓが前記Ｎに等しいことを特徴とする
請求項１〜１４のいずれか一項に記載の方法。
【請求項１６】
前記Ｎが２に等しく、前記Ｍが２に等しく、
前記Ｎ個の第一符号及び前記Ｍ個の第二符号の時間領域における前後順位による順番は、前記第一符号、前記第二符号、前記第一符号及び前記第二符号であることを特徴とする
請求項１〜１５のいずれか一項に記載の方法。
【請求項１７】
前記ネットワーク装置がＭ個の第二符号において、第二帯域幅を占用し、及び前記Ｎ個の第一符号のうちのＳ個の第一符号において、第三帯域幅を占用し、前記端末装置に前記同期信号ブロックに含まれる第二チャネル又は信号を送信することは、
前記ネットワーク装置は、先周波数領域後時間領域という方式に基づき、前記Ｎ個の第一符号及び前記Ｍ個の第二符号の中の一番目の符号から始め、前記Ｎ個の第一符号及び前記Ｍ個の第二符号の時間領域における前後順位に基づき、低周波数領域リソースを先にして高周波数領域リソースを後にするように前記第二チャネル又は信号のマッピングを行うことであって、前記第一符号にマッピングされる帯域幅が前記第三帯域幅であり、前記第二符号にマッピングされる帯域幅が前記第二帯域幅である、ことと、
前記ネットワーク装置がマッピング後の前記第二チャネル又は信号を前記端末装置に送信することと、を含むことを特徴とする
請求項１〜１６のいずれか一項に記載の方法。
【請求項１８】
無線通信方法であって、
端末装置は、Ｎ個の第一符号において、第一帯域幅から第一チャネル又は信号を取得することであって、前記第一チャネル又は信号が、ネットワーク装置により送信される同期信号ブロックである、ことと、
前記端末装置は、Ｍ個の第二符号において、第二帯域幅から、及び前記Ｎ個の第一符号のうちのＳ個の第一符号において、第三帯域幅から、前記同期信号ブロックに含まれる第二チャネル又は信号を取得すること、を含み、
前記第三帯域幅と前記第一帯域幅の周波数領域リソース位置が互いに重ならず、前記Ｍ、前記Ｎ及び前記Ｓが１以上の整数であることを特徴とする、前記無線通信方法。
【請求項１９】
前記第一チャネル又は信号がプライマリ同期信号（ＰＳＳ）及び／又はセカンダリ同期信号（ＳＳＳ）を含むことを特徴とする
請求項１８に記載の方法。
【請求項２０】
前記第一チャネル又は信号がＰＳＳ及びＳＳＳを含み、前記ＰＳＳ及び前記ＳＳＳは占用する前記第一符号が異なることを特徴とする
請求項１９に記載の方法。
【請求項２１】
前記第二チャネル又は信号が物理ブロードキャストチャネル（ＰＢＣＨ）を含むことを特徴とする
請求項１８〜２０のいずれか一項に記載の方法。
【請求項２２】
前記第一帯域幅と前記第三帯域幅の帯域幅の和が前記第二帯域幅以下であることを特徴とする
請求項１８〜２１のいずれか一項に記載の方法。
【請求項２３】
前記第一帯域幅が占用する周波数領域リソース位置及び前記第三帯域幅が占用する周波数領域リソース位置は、それぞれ前記第二帯域幅が占用する周波数領域リソース位置のサブセットであることを特徴とする
請求項１８〜２２のいずれか一項に記載の方法。
【請求項２４】
前記第一帯域幅の中心周波数ポイントが前記第二帯域幅の中心周波数ポイントに等しいことを特徴とする
請求項１８〜２３のいずれか一項に記載の方法。
【請求項２５】
前記第三帯域幅の周波数領域リソース位置が前記第一帯域幅の周波数領域リソース位置の両側に位置することを特徴とする
請求項１８〜２４のいずれか一項に記載の方法。
【請求項２６】
前記第一帯域幅の周波数領域リソース位置が前記第二帯域幅の低周波数範囲内に位置し、及び
前記第三帯域幅の周波数領域リソース位置が前記第二帯域幅の高周波数範囲内に位置することを特徴とする
請求項１８〜２３のいずれか一項に記載の方法。
【請求項２７】
前記第一帯域幅の周波数領域リソース位置が前記第二帯域幅の高周波数範囲内に位置し、及び
前記第三帯域幅の周波数領域リソース位置が前記第二帯域幅の低周波数範囲内に位置することを特徴とする
請求項１８〜２３のいずれか一項に記載の方法。
【請求項２８】
前記第一帯域幅、前記第二帯域幅及び／又は前記第三帯域幅は、それぞれ整数個の物理リソースブロック（ＰＲＢ）が占用する帯域幅に等しいことを特徴とする
請求項１８〜２７のいずれか一項に記載の方法。
【請求項２９】
前記第二帯域幅は２４個のＰＲＢが占用する帯域幅より小さいことを特徴とする
請求項１８〜２８のいずれか一項に記載の方法。
【請求項３０】
前記第二帯域幅は１８個の物理リソースブロック（ＰＲＢ）が占用する帯域幅に等しいことを特徴とする
請求項１８〜２９のいずれか一項に記載の方法。
【請求項３１】
前記第一帯域幅は１２個のＰＲＢが占用する帯域幅に等しいことを特徴とする
請求項１８〜３０のいずれか一項に記載の方法。
【請求項３２】
前記Ｓが前記Ｎに等しいことを特徴とする
請求項１８〜３１のいずれか一項に記載の方法。
【請求項３３】
前記Ｎが２に等しく、前記Ｍが２に等しく、
前記Ｎ個の第一符号及び前記Ｍ個の第二符号の時間領域における前後順位による順番は、前記第一符号、前記第二符号、前記第一符号及び前記第二符号であることを特徴とする
請求項１８〜３２のいずれか一項に記載の方法。
【請求項３４】
前記端末装置が、Ｍ個の第二符号において、第二帯域幅から、及びＮ個の第一符号のうちのＳ個の第一符号において、第三帯域幅から、前記ネットワーク装置が送信した前記同期信号ブロックに含まれる第二チャネル又は信号を取得することは、
前記端末装置が、先周波数領域後時間領域という方式に基づき、前記Ｎ個の第一符号及び前記Ｍ個の第二符号の中の一番目の符号から始め、前記Ｎ個の第一符号及び前記Ｍ個の第二符号の時間領域における前後順位に基づき、低周波数領域リソースを先にして高周波数領域リソースを後にするように前記第二チャネル又は信号のデマッピングを行い、前記第一符号においてデマッピングされる帯域幅が前記第三帯域幅であり、前記第二符号においてデマッピングされる帯域幅が前記第二帯域幅であること、を含むことを特徴とする
請求項１８〜３３のいずれか一項に記載の方法。
【請求項３５】
ネットワーク装置であって、
Ｎ個の第一符号において、第一帯域幅を占用し、端末装置に同期信号ブロックに含まれる第一チャネル又は信号を送信するように構成される第一伝送ユニットであって、前記Ｎが１以上の整数である、第一伝送ユニットと、
Ｍ個の第二符号において、第二帯域幅を占用し、及び前記Ｎ個の第一符号のうちのＳ個の第一符号において、第三帯域幅を占用し、前記端末装置に前記同期信号ブロックに含まれる第二チャネル又は信号を送信するように構成される第二伝送ユニットであって、前記第一帯域幅と前記第三帯域幅の周波数領域リソース位置が互いに重ならず、前記Ｍと前記Ｓが１以上の整数である、第二伝送ユニットと、を含むことを特徴とする、前記ネットワーク装置。
【請求項３６】
前記第一チャネル又は信号がプライマリ同期信号（ＰＳＳ）及び／又はセカンダリ同期信号（ＳＳＳ）を含むことを特徴とする
請求項３５に記載のネットワーク装置。
【請求項３７】
前記第一チャネル又は信号がＰＳＳ及びＳＳＳを含み、前記ＰＳＳ及び前記ＳＳＳは占用する前記第一符号が異なることを特徴とする
請求項３６に記載のネットワーク装置。
【請求項３８】
前記第二チャネル又は信号が物理ブロードキャストチャネル（ＰＢＣＨ）を含むことを特徴とする
請求項３５〜３７のいずれか一項に記載のネットワーク装置。
【請求項３９】
前記第一帯域幅と前記第三帯域幅の帯域幅の和が前記第二帯域幅以下であることを特徴とする
請求項３５〜３８のいずれか一項に記載のネットワーク装置。
【請求項４０】
前記第一帯域幅が占用する周波数領域リソース位置及び前記第三帯域幅が占用する周波数領域リソース位置は、それぞれ前記第二帯域幅が占用する周波数領域リソース位置のサブセットであることを特徴とする
請求項３５〜３９のいずれか一項に記載のネットワーク装置。
【請求項４１】
前記第一帯域幅の中心周波数ポイントが前記第二帯域幅の中心周波数ポイントに等しいことを特徴とする
請求項３５〜４０のいずれか一項に記載のネットワーク装置。
【請求項４２】
前記第三帯域幅の周波数領域リソース位置が前記第一帯域幅の周波数領域リソース位置の両側に位置することを特徴とする
請求項３５〜４１のいずれか一項に記載のネットワーク装置。
【請求項４３】
前記第一帯域幅の周波数領域リソース位置が前記第二帯域幅の低周波数範囲内に位置し、及び
前記第三帯域幅の周波数領域リソース位置が前記第二帯域幅の高周波数範囲内に位置することを特徴とする
請求項３５〜４０のいずれか一項に記載のネットワーク装置。
【請求項４４】
前記第一帯域幅の周波数領域リソース位置が前記第二帯域幅の高周波数範囲内に位置し、及び
前記第三帯域幅の周波数領域リソース位置が前記第二帯域幅の低周波数範囲内に位置することを特徴とする
請求項３５〜４０のいずれか一項に記載のネットワーク装置。
【請求項４５】
前記第一帯域幅、前記第二帯域幅及び／又は前記第三帯域幅は、それぞれ整数個の物理リソースブロック（ＰＲＢ）が占用する帯域幅に等しいことを特徴とする
請求項３５〜４４のいずれか一項に記載のネットワーク装置。
【請求項４６】
前記第二帯域幅は２４個のＰＲＢが占用する帯域幅より小さいことを特徴とする
請求項３５〜４５のいずれか一項に記載のネットワーク装置。
【請求項４７】
前記第二帯域幅は１８個のＰＲＢが占用する帯域幅に等しいことを特徴とする
請求項３５〜４６のいずれか一項に記載のネットワーク装置。
【請求項４８】
前記第一帯域幅は１２個のＰＲＢが占用する帯域幅に等しいことを特徴とする
請求項３５〜４７のいずれか一項に記載のネットワーク装置。
【請求項４９】
前記Ｓが前記Ｎに等しいことを特徴とする
請求項３５〜４８のいずれか一項に記載のネットワーク装置。
【請求項５０】
前記Ｎが２に等しく、前記Ｍが２に等しく、
前記Ｎ個の第一符号及び前記Ｍ個の第二符号の時間領域における前後順位による順番は、前記第一符号、前記第二符号、前記第一符号及び前記第二符号であることを特徴とする
請求項３５〜４９のいずれか一項に記載のネットワーク装置。
【請求項５１】
前記第二伝送ユニットは、さらに
先周波数領域後時間領域という方式に基づき、前記Ｎ個の第一符号及び前記Ｍ個の第二符号の中の一番目の符号から始め、前記Ｎ個の第一符号及び前記Ｍ個の第二符号の時間領域における前後順位に基づき、低周波数領域リソースを先にして高周波数領域リソースを後にするように前記第二チャネル又は信号のマッピングを行い、前記第一符号にマッピングされる帯域幅が前記第三帯域幅であり、前記第二符号にマッピングされる帯域幅が前記第二帯域幅であり、
マッピング後の前記第二チャネル又は信号を前記端末装置に送信するように構成されることを特徴とする
請求項３５〜５０のいずれか一項に記載のネットワーク装置。
【請求項５２】
端末装置であって、取得ユニットを含み、
前記取得ユニットは、
Ｎ個の第一符号において、第一帯域幅から第一チャネル又は信号を取得することであって、前記第一チャネル又は信号が、ネットワーク装置により送信される同期信号ブロックである、ことと、
Ｍ個の第二符号において、第二帯域幅から、及び前記Ｎ個の第一符号のうちのＳ個の第一符号において、第三帯域幅から、同期信号ブロックに含まれる第二チャネル又は信号を取得することと、を実行するように構成され、
前記第三帯域幅と前記第一帯域幅の周波数領域リソース位置が互いに重ならず、前記Ｍ、前記Ｎ及び前記Ｓが１以上の整数であることを特徴とする、前記端末装置。
【請求項５３】
前記第一チャネル又は信号がプライマリ同期信号（ＰＳＳ）及び／又はセカンダリ同期信号（ＳＳＳ）を含むことを特徴とする
請求項５２に記載の端末装置。
【請求項５４】
前記第一チャネル又は信号がＰＳＳ及びＳＳＳを含み、前記ＰＳＳ及び前記ＳＳＳは占用する前記第一符号が異なることを特徴とする
請求項５３に記載の端末装置。
【請求項５５】
前記第二チャネル又は信号が物理ブロードキャストチャネル（ＰＢＣＨ）を含むことを特徴とする
請求項５２〜５４のいずれか一項に記載の端末装置。
【請求項５６】
前記第一帯域幅と前記第三帯域幅の帯域幅の和が前記第二帯域幅以下であることを特徴とする
請求項５２〜５５のいずれか一項に記載の端末装置。
【請求項５７】
前記第一帯域幅が占用する周波数領域リソース位置及び前記第三帯域幅が占用する周波数領域リソース位置は、それぞれ前記第二帯域幅が占用する周波数領域リソース位置のサブセットであることを特徴とする
請求項５２〜５６のいずれか一項に記載の端末装置。
【請求項５８】
前記第一帯域幅の中心周波数ポイントが前記第二帯域幅の中心周波数ポイントに等しいことを特徴とする
請求項５２〜５７のいずれか一項に記載の端末装置。
【請求項５９】
前記第三帯域幅の周波数領域リソース位置が前記第一帯域幅の周波数領域リソース位置の両側に位置することを特徴とする
請求項５２〜５８のいずれか一項に記載の端末装置。
【請求項６０】
前記第一帯域幅の周波数領域リソース位置が前記第二帯域幅の低周波数範囲内に位置し、及び
前記第三帯域幅の周波数領域リソース位置が前記第二帯域幅の高周波数範囲内に位置することを特徴とする
請求項５２〜５７のいずれか一項に記載の端末装置。
【請求項６１】
前記第一帯域幅の周波数領域リソース位置が前記第二帯域幅の高周波数範囲内に位置し、及び
前記第三帯域幅の周波数領域リソース位置が前記第二帯域幅の低周波数範囲内に位置することを特徴とする
請求項５２〜５７のいずれか一項に記載の端末装置。
【請求項６２】
前記第一帯域幅、前記第二帯域幅及び／又は前記第三帯域幅は、それぞれ整数個の物理リソースブロック（ＰＲＢ）が占用する帯域幅に等しいことを特徴とする
請求項５２〜６１のいずれか一項に記載の端末装置。
【請求項６３】
前記第二帯域幅は２４個のＰＲＢが占用する帯域幅より小さいことを特徴とする
請求項５２〜６２のいずれか一項に記載の端末装置。
【請求項６４】
前記第二帯域幅は１８個の物理リソースブロック（ＰＲＢ）が占用する帯域幅に等しいことを特徴とする
請求項５２〜６３のいずれか一項に記載の端末装置。
【請求項６５】
前記第一帯域幅は１２個のＰＲＢが占用する帯域幅に等しいことを特徴とする
請求項５２〜６４のいずれか一項に記載の端末装置。
【請求項６６】
前記Ｓが前記Ｎに等しいことを特徴とする
請求項５２〜６５のいずれか一項に記載の端末装置。
【請求項６７】
前記Ｎが２に等しく、前記Ｍが２に等しく、
前記Ｎ個の第一符号及び前記Ｍ個の第二符号の時間領域における前後順位による順番は、前記第一符号、前記第二符号、前記第一符号及び前記第二符号であることを特徴とする
請求項５２〜６６のいずれか一項に記載の端末装置。
【請求項６８】
前記取得ユニットは、さらに
先周波数領域後時間領域という方式に基づき、前記Ｎ個の第一符号及び前記Ｍ個の第二符号の中の一番目の符号から始め、前記Ｎ個の第一符号及び前記Ｍ個の第二符号の時間領域における前後順位に基づき、低周波数領域リソースを先にして高周波数領域リソースを後にするように前記第二チャネル又は信号のデマッピングを行うように構成され、前記第一符号においてデマッピングされる帯域幅が前記第三帯域幅であり、前記第二符号においてデマッピングされる帯域幅が前記第二帯域幅であることを特徴とする
請求項５２〜６７のいずれか一項に記載の端末装置。
【請求項６９】
通信装置であって、
プロセッサと、プログラムコードが記憶されるメモリとを含み、
前記プロセッサが、前記プログラムコードを実行して、請求項１〜３４のいずれ一項に記載の方法を実行する通信装置。
【請求項７０】
チップであって、
プロセッサと、プログラムコードが記憶されるメモリとを含み、
前記プロセッサが、前記プログラムコードを実行して、請求項１〜３４のいずれ一項に記載の方法を実行するチップ。
【請求項７１】
コンピュータ読取可能な媒体であって、
コンピュータプログラムが記憶され、前記コンピュータプログラムが、請求項１〜３４のいずれ一項に記載の方法を実行するために用いられる、コンピュータ読取可能な媒体。
【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
無線通信方法であって、
ネットワーク装置が、Ｎ個の第一符号において、第一帯域幅を占用し、端末装置に同期信号ブロックに含まれる第一チャネル又は信号を送信することであって、前記Ｎが１以上の整数であることと、
前記ネットワーク装置が、Ｍ個の第二符号において、第二帯域幅を占用し、及び前記Ｎ個の第一符号のうちのＳ個の第一符号において、第三帯域幅を占用し、前記端末装置に前記同期信号ブロックに含まれる第二チャネル又は信号を送信することであって、前記第一帯域幅と前記第三帯域幅の周波数領域リソース位置が互いに重ならず、前記Ｍと前記Ｓが１以上の整数である、ことと、を含むことを特徴とする、前記無線通信方法。
【請求項２】
前記第一チャネル又は信号がプライマリ同期信号（ＰＳＳ）及び／又はセカンダリ同期信号（ＳＳＳ）を含むことを特徴とする
請求項１に記載の方法。
【請求項３】
前記第一チャネル又は信号がＰＳＳ及びＳＳＳを含み、前記ＰＳＳ及び前記ＳＳＳは占用する前記第一符号が異なることを特徴とする
請求項２に記載の方法。
【請求項４】
前記第一帯域幅が占用する周波数領域リソース位置及び前記第三帯域幅が占用する周波数領域リソース位置は、それぞれ前記第二帯域幅が占用する周波数領域リソース位置のサブセットであることを特徴とする
請求項１〜３のいずれか一項に記載の方法。
【請求項５】
前記第三帯域幅の周波数領域リソース位置が前記第一帯域幅の周波数領域リソース位置の両側に位置することを特徴とする
請求項１〜４のいずれか一項に記載の方法。
【請求項６】
前記第二帯域幅は２４個のＰＲＢが占用する帯域幅より小さいことを特徴とする
請求項１〜５のいずれか一項に記載の方法。
【請求項７】
前記ネットワーク装置がＭ個の第二符号において、第二帯域幅を占用し、及び前記Ｎ個の第一符号のうちのＳ個の第一符号において、第三帯域幅を占用し、前記端末装置に前記同期信号ブロックに含まれる第二チャネル又は信号を送信することは、
前記ネットワーク装置は、先周波数領域後時間領域という方式に基づき、前記Ｎ個の第一符号及び前記Ｍ個の第二符号の中の一番目の符号から始め、前記Ｎ個の第一符号及び前記Ｍ個の第二符号の時間領域における前後順位に基づき、低周波数領域リソースを先にして高周波数領域リソースを後にするように前記第二チャネル又は信号のマッピングを行うことであって、前記第一符号にマッピングされる帯域幅が前記第三帯域幅であり、前記第二符号にマッピングされる帯域幅が前記第二帯域幅である、ことと、
前記ネットワーク装置がマッピング後の前記第二チャネル又は信号を前記端末装置に送信することと、を含むことを特徴とする
請求項１〜６のいずれか一項に記載の方法。
【請求項８】
無線通信方法であって、
端末装置は、Ｍ個の第二符号において、第二帯域幅から、及びＮ個の第一符号のうちのＳ個の第一符号において、第三帯域幅から、前記ネットワーク装置が送信した同期信号ブロックに含まれる第二チャネル又は信号を取得すること、を含み、
前記Ｎ個の第一符号において、第一帯域幅で、前記ネットワーク装置が前記同期信号ブロックに含まれる第一チャネル又は信号を送信し、
前記第三帯域幅と前記第一帯域幅の周波数領域リソース位置が互いに重ならず、前記Ｍ、前記Ｎ及び前記Ｓが１以上の整数であることを特徴とする、前記無線通信方法。
【請求項９】
前記第二チャネル又は信号が物理ブロードキャストチャネル（ＰＢＣＨ）を含むことを特徴とする
請求項８に記載の方法。
【請求項１０】
前記第一帯域幅が占用する周波数領域リソース位置及び前記第三帯域幅が占用する周波数領域リソース位置は、それぞれ前記第二帯域幅が占用する周波数領域リソース位置のサブセットであることを特徴とする
請求項８又は９に記載の方法。
【請求項１１】
前記第三帯域幅の周波数領域リソース位置が前記第一帯域幅の周波数領域リソース位置の両側に位置することを特徴とする
請求項８〜１０のいずれか一項に記載の方法。
【請求項１２】
前記第二帯域幅は２４個のＰＲＢが占用する帯域幅より小さいことを特徴とする
請求項８〜１１のいずれか一項に記載の方法。
【請求項１３】
前記Ｎが２に等しく、前記Ｍが２に等しく、
前記Ｎ個の第一符号及び前記Ｍ個の第二符号の時間領域における前後順位による順番は、前記第一符号、前記第二符号、前記第一符号及び前記第二符号であることを特徴とする
請求項８〜１２のいずれか一項に記載の方法。
【請求項１４】
前記端末装置が、Ｍ個の第二符号において、第二帯域幅から、及びＮ個の第一符号のうちのＳ個の第一符号において、第三帯域幅から、前記ネットワーク装置が送信した前記同期信号ブロックに含まれる第二チャネル又は信号を取得することは、
前記端末装置が、先周波数領域後時間領域という方式に基づき、前記Ｎ個の第一符号及び前記Ｍ個の第二符号の中の一番目の符号から始め、前記Ｎ個の第一符号及び前記Ｍ個の第二符号の時間領域における前後順位に基づき、低周波数領域リソースを先にして高周波数領域リソースを後にするように前記第二チャネル又は信号のデマッピングを行い、前記第一符号においてデマッピングされる帯域幅が前記第三帯域幅であり、前記第二符号においてデマッピングされる帯域幅が前記第二帯域幅であること、を含むことを特徴とする
請求項８〜１３のいずれか一項に記載の方法。
【請求項１５】
ネットワーク装置であって、
Ｎ個の第一符号において、第一帯域幅を占用し、端末装置に同期信号ブロックに含まれる第一チャネル又は信号を送信するように構成される第一伝送ユニットであって、前記Ｎが１以上の整数である、第一伝送ユニットと、
Ｍ個の第二符号において、第二帯域幅を占用し、及び前記Ｎ個の第一符号のうちのＳ個の第一符号において、第三帯域幅を占用し、前記端末装置に前記同期信号ブロックに含まれる第二チャネル又は信号を送信するように構成される第二伝送ユニットであって、前記第一帯域幅と前記第三帯域幅の周波数領域リソース位置が互いに重ならず、前記Ｍと前記Ｓが１以上の整数である、第二伝送ユニットと、を含むことを特徴とする、前記ネットワーク装置。
【請求項１６】
前記第二チャネル又は信号が物理ブロードキャストチャネル（ＰＢＣＨ）を含むことを特徴とする
請求項１５に記載のネットワーク装置。
【請求項１７】
前記第一帯域幅が占用する周波数領域リソース位置及び前記第三帯域幅が占用する周波数領域リソース位置は、それぞれ前記第二帯域幅が占用する周波数領域リソース位置のサブセットであることを特徴とする
請求項１５又は１６に記載のネットワーク装置。
【請求項１８】
前記第三帯域幅の周波数領域リソース位置が前記第一帯域幅の周波数領域リソース位置の両側に位置することを特徴とする
請求項１５〜１７のいずれか一項に記載のネットワーク装置。
【請求項１９】
前記第二帯域幅は２４個のＰＲＢが占用する帯域幅より小さいことを特徴とする
請求項１５〜１８のいずれか一項に記載のネットワーク装置。
【請求項２０】
前記Ｎが２に等しく、前記Ｍが２に等しく、
前記Ｎ個の第一符号及び前記Ｍ個の第二符号の時間領域における前後順位による順番は、前記第一符号、前記第二符号、前記第一符号及び前記第二符号であることを特徴とする
請求項１５〜１９のいずれか一項に記載のネットワーク装置。
【請求項２１】
前記第二伝送ユニットは、さらに
先周波数領域後時間領域という方式に基づき、前記Ｎ個の第一符号及び前記Ｍ個の第二符号の中の一番目の符号から始め、前記Ｎ個の第一符号及び前記Ｍ個の第二符号の時間領域における前後順位に基づき、低周波数領域リソースを先にして高周波数領域リソースを後にするように前記第二チャネル又は信号のマッピングを行い、前記第一符号にマッピングされる帯域幅が前記第三帯域幅であり、前記第二符号にマッピングされる帯域幅が前記第二帯域幅であり、
マッピング後の前記第二チャネル又は信号を前記端末装置に送信するように構成されることを特徴とする
請求項１５〜２０のいずれか一項に記載のネットワーク装置。
【請求項２２】
端末装置であって、取得ユニットを含み、
前記取得ユニットは、Ｍ個の第二符号において、第二帯域幅から、及び前記Ｎ個の第一符号のうちのＳ個の第一符号において、第三帯域幅から、前記ネットワーク装置が送信した同期信号ブロックに含まれる第二チャネル又は信号を取得するように構成され、
前記Ｎ個の第一符号において、第一帯域幅で、前記ネットワーク装置が前記同期信号ブロックに含まれる第一チャネル又は信号を送信し、
前記第三帯域幅と前記第一帯域幅の周波数領域リソース位置が互いに重ならず、前記Ｍ、前記Ｎ及び前記Ｓが１以上の整数であることを特徴とする、前記端末装置。
【請求項２３】
前記第一チャネル又は信号がプライマリ同期信号（ＰＳＳ）及び／又はセカンダリ同期信号（ＳＳＳ）を含むことを特徴とする
請求項２２に記載の端末装置。
【請求項２４】
前記第一チャネル又は信号がＰＳＳ及びＳＳＳを含み、前記ＰＳＳ及び前記ＳＳＳは占用する前記第一符号が異なることを特徴とする
請求項２３に記載の端末装置。
【請求項２５】
前記第一帯域幅が占用する周波数領域リソース位置及び前記第三帯域幅が占用する周波数領域リソース位置は、それぞれ前記第二帯域幅が占用する周波数領域リソース位置のサブセットであることを特徴とする
請求項２２〜２４のいずれか一項に記載の端末装置。
【請求項２６】
前記第三帯域幅の周波数領域リソース位置が前記第一帯域幅の周波数領域リソース位置の両側に位置することを特徴とする
請求項２２〜２５のいずれか一項に記載の端末装置。
【請求項２７】
前記第二帯域幅は２４個のＰＲＢが占用する帯域幅より小さいことを特徴とする
請求項２２〜２６のいずれか一項に記載の端末装置。
【請求項２８】
前記取得ユニットは、さらに
先周波数領域後時間領域という方式に基づき、前記Ｎ個の第一符号及び前記Ｍ個の第二符号の中の一番目の符号から始め、前記Ｎ個の第一符号及び前記Ｍ個の第二符号の時間領域における前後順位に基づき、低周波数領域リソースを先にして高周波数領域リソースを後にするように前記第二チャネル又は信号のデマッピングを行うように構成され、前記第一符号においてデマッピングされる帯域幅が前記第三帯域幅であり、前記第二符号においてデマッピングされる帯域幅が前記第二帯域幅であることを特徴とする
請求項２２〜２７のいずれか一項に記載の端末装置。 
【国際調査報告】
2021502725.tif 000014
2021502725.tif 000015
2021502725.tif 000016
2021502725.tif 000017